(57)【要約】  第１のセル（１２１）を備えるサービングセルのセット上での無線デバイス（１３０）による測定をハンドリングするための方法。無線デバイス（１３０）は、セット中の各セルについて測定を実施すべき１つまたは複数の信号タイプを決定する（２０２）。決定は、各々が測定リポートをトリガするための条件をセットする、１つまたは複数のイベントの、設定されたイベントごとの、取得された設定に基づく。イベントのうちの少なくとも１つが、測定対象にリンクされた少なくとも１つのｒｅｐｏｒｔＣｏｎｆｉｇ中で設定され、ｒｅｐｏｒｔＣｏｎｆｉｇ内のそのＲＳタイプが１つの信号タイプにセットされる。無線デバイス（１３０）は、セットされる１つの信号タイプに対して測定を実施することを決定する。無線デバイス（１３０）は、次いで、無線デバイス（１３０）をサービングするネットワークノード（１１０）に指示を送ることを始動する（２０３）。指示は、決定された１つまたは複数の信号タイプに対する測定に基づく。【選択図】図２
2020530680.tif 000002
【特許請求の範囲】
【請求項１】
少なくとも第１のセル（１２１）を備えるセルのセット上での無線デバイス（１３０）による測定をハンドリングするための、前記無線デバイス（１３０）によって実施される方法であって、前記セット中の前記セルがサービングセルであり、前記無線デバイス（１３０）が無線通信ネットワーク（１００）中で動作し、前記方法は、
前記セルのセット中の各セルについて測定を実施すべき１つまたは複数の信号タイプを決定すること（２０２）であって、前記決定が、１つまたは複数のイベントの、設定されたイベントごとの、取得された設定に基づき、前記１つまたは複数のイベントの各々が、測定リポートをトリガするための条件をセットし、前記１つまたは複数のイベントのうちの少なくとも１つが、測定対象にリンクされた少なくとも１つのｒｅｐｏｒｔＣｏｎｆｉｇ中で設定され、前記ｒｅｐｏｒｔＣｏｎｆｉｇ内のその参照信号（ＲＳ）タイプが、前記１つまたは複数の信号タイプのうちの１つの信号タイプにセットされ、前記無線デバイス（１３０）が、少なくとも、セットされる前記１つの信号タイプに対して前記測定を実施することを決定する、１つまたは複数の信号タイプを決定すること（２０２）と、
前記無線デバイス（１３０）をサービングするネットワークノード（１１０）に指示を送ることを始動すること（２０３）であって、前記指示が、前記決定された１つまたは複数の信号タイプに対する前記無線デバイス（１３０）による前記測定に基づく、指示を送ることを始動すること（２０３）と
を含む、方法。
【請求項２】
前記指示が、前記決定された１つまたは複数の信号タイプに基づくセルレベル情報をさらに備える、請求項１に記載の方法。
【請求項３】
前記指示が、前記決定された１つまたは複数の信号タイプに基づくビームレベル情報をさらに備える、請求項１または２に記載の方法。
【請求項４】
前記取得された設定が前記ｒｅｐｏｒｔＣｏｎｆｉｇである、請求項１から３のいずれか一項に記載の方法。
【請求項５】
前記指示が第２の指示であり、前記方法は、
前記ネットワークノード（１１０）から第１の指示を取得すること（２０１）であって、前記第１の指示が前記設定を備える、第１の指示を取得すること（２０１）
をさらに含む、請求項１から４のいずれか一項に記載の方法。
【請求項６】
前記１つまたは複数の信号タイプが、ＳＳブロック中のＲＳ、または（１つまたは複数の）ＣＳＩ−ＲＳを備える、請求項１から５のいずれか一項に記載の方法。
【請求項７】
ａ．前記１つまたは複数のイベントのうちの前記少なくとも１つがＡ１であり、前記イベントＡ１が設定され、前記第１のセル（１２１）に関連する前記測定対象にリンクされることと、
ｂ．前記１つまたは複数のイベントのうちの前記少なくとも１つがＡ２であり、前記イベントＡ２が設定され、前記第１のセル（１２１）に関連する前記測定対象にリンクされることと
のうちの１つである、請求項１から６のいずれか一項に記載の方法。
【請求項８】
前記１つまたは複数のイベントのうちの前記少なくとも１つがＡ１およびＡ２のうちの１つであり、前記方法は、
ａ．前記測定対象が、前記第１のセル（１２１）に関連し、前記少なくとも１つのｒｅｐｏｒｔＣｏｎｆｉｇにリンクされ、そのＲＳタイプがＳＳにセットされ、前記無線デバイス（１３０）が、前記ＳＳに基づく第１のセル（１２１）測定を実施することと、
ｂ．前記測定対象が、前記第１のセル（１２１）に関連し、前記少なくとも１つのｒｅｐｏｒｔＣｏｎｆｉｇにリンクされ、そのＲＳタイプがＣＳＩ−ＲＳにセットされ、前記無線デバイス（１３０）が、前記ＣＳＩ−ＲＳに基づく第１のセル（１２１）測定を実施することと
のうちの少なくとも１つをさらに含む、請求項７に記載の方法。
【請求項９】
前記１つまたは複数のイベントのうちの前記少なくとも１つがＡ３であり、前記方法は、
ａ．前記Ａ３イベントが、前記測定対象にリンクされた前記少なくとも１つのｒｅｐｏｒｔＣｏｎｆｉｇ中で設定され、そのＲＳタイプがＳＳにセットされ、前記無線デバイス（１３０）が、少なくとも前記ＳＳに基づく第１のセル（１２１）測定を実施することと、
ｂ．前記Ａ３イベントが、測定対象にリンクされた前記少なくとも１つのｒｅｐｏｒｔＣｏｎｆｉｇ中で設定され、そのＲＳタイプがＣＳＩ−ＲＳにセットされ、前記無線デバイス（１３０）が、少なくとも前記ＣＳＩ−ＲＳに基づく第１のセル（１２１）測定を実施することと
のうちの少なくとも１つをさらに含む、請求項１から８のいずれか一項に記載の方法。
【請求項１０】
前記１つまたは複数のイベントのうちの前記少なくとも１つがＡ４であり、前記方法は、
ａ．前記Ａ４イベントが、前記測定対象にリンクされた前記少なくとも１つのｒｅｐｏｒｔＣｏｎｆｉｇ中で設定され、そのＲＳタイプがＳＳにセットされ、前記無線デバイス（１３０）が、ＳＳに基づく第１のセル（１２１）測定を実施することと、
ｂ．前記Ａ４イベントが、前記測定対象にリンクされた前記少なくとも１つのｒｅｐｏｒｔＣｏｎｆｉｇ中で設定され、そのＲＳタイプがＣＳＩ−ＲＳにセットされ、前記無線デバイス（１３０）が、ＣＳＩ−ＲＳに基づく第１のセル（１２１）測定を実施することと、
ｃ．前記Ａ４イベントが、前記測定対象にリンクされた前記少なくとも１つのｒｅｐｏｒｔＣｏｎｆｉｇ中で設定され、そのＲＳタイプがＣＳＩ−ＲＳにセットされ、前記ＣＳＩ−ＲＳが前記無線デバイス（１３０）のために設定されず、前記無線デバイス（１３０）が、ＳＳに基づく第１のセル（１２１）測定を実施することと、
ｄ．前記Ａ４イベントが、前記測定対象にリンクされた前記少なくとも１つのｒｅｐｏｒｔＣｏｎｆｉｇ中で設定され、そのＲＳタイプがＣＳＩ−ＲＳにセットされ、前記ＣＳＩ−ＲＳが前記第１のセル（１２１）のために設定されず、前記無線デバイス（１３０）が、前記第１のセル（１２１）のセルレベル測定に関係する失敗を前記ネットワークに通知することと
のうちの少なくとも１つをさらに含む、請求項１から９のいずれか一項に記載の方法。
【請求項１１】
前記１つまたは複数のイベントのうちの前記少なくとも１つがＡ５であり、前記方法は、
ａ．前記Ａ５イベントが、前記測定対象にリンクされた前記少なくとも１つのｒｅｐｏｒｔＣｏｎｆｉｇ中で設定され、そのＲＳタイプがＳＳにセットされ、前記無線デバイス（１３０）が、ＳＳに基づく第１のセル（１２１）測定を実施することと、
ｂ．前記Ａ５イベントが、測定対象にリンクされた前記少なくとも１つのｒｅｐｏｒｔＣｏｎｆｉｇ中で設定され、そのＲＳタイプがＣＳＩ−ＲＳにセットされ、前記無線デバイス（１３０）が、ＣＳＩ−ＲＳに基づく第１のセル（１２１）測定を実施することと
のうちの少なくとも１つをさらに含む、請求項１から１０のいずれか一項に記載の方法。
【請求項１２】
前記セルのセットが１つまたは複数の第２のセル（１２２）をさらに備える、請求項１から１１のいずれか一項に記載の方法。
【請求項１３】
前記第１のセル（１２１）が１次セル（ＰＣｅｌｌ）であり、前記１つまたは複数の第２のセル（１２２）が２次セル（ＳＣｅｌｌ）である、請求項１２に記載の方法。
【請求項１４】
前記１つまたは複数のイベントのうちの前記少なくとも１つがＡ６であり、前記方法は、
ａ．前記Ａ６イベントが、前記測定対象にリンクされた前記少なくとも１つのｒｅｐｏｒｔＣｏｎｆｉｇ中で設定され、そのＲＳタイプがＳＳにセットされ、前記無線デバイス（１３０）が、ＳＳに基づく１つまたは複数の第２のセル（１２２）測定を、設定された前記１つまたは複数の第２のセル（１２２）にリンクされた前記測定対象に関連する周波数に関連する少なくとも前記１つまたは複数の第２のセル（１２２）について実施することと、
ｂ．前記Ａ６イベントが、測定対象にリンクされた前記少なくとも１つのｒｅｐｏｒｔＣｏｎｆｉｇ中で設定され、そのＲＳタイプがＣＳＩ−ＲＳにセットされ、前記無線デバイス（１３０）が、ＣＳＩ−ＲＳに基づく１つまたは複数の第２のセル（１２２）測定を、設定された前記１つまたは複数の第２のセル（１２２）にリンクされた前記測定対象に関連する前記周波数に関連する少なくとも前記１つまたは複数の第２のセル（１２２）について実施することと
のうちの少なくとも１つをさらに含む、請求項１２または１３に記載の方法。
【請求項１５】
前記指示は、前記１つまたは複数のイベントのうちの前記少なくとも１つのどのイベントが設定されるかと、どんなＲＳタイプが設定されるかとにさらに基づく、請求項１から１４のいずれか一項に記載の方法。
【請求項１６】
少なくとも第１のセル（１２１）を備えるセルのセット上での無線デバイス（１３０）による測定をハンドリングするための、ネットワークノード（１１０）によって実施される方法であって、前記セット中の前記セルがサービングセルであり、前記ネットワークノード（１１０）と前記無線デバイス（１３０）とが無線通信ネットワーク（１００）中で動作し、前記方法は、
前記無線デバイス（１３０）に第１の指示を提供すること（３０１）であって、前記第１の指示が、１つまたは複数のイベントの、設定されたイベントごとの、設定を備え、前記１つまたは複数のイベントの各々が、測定リポートをトリガするための条件をセットし、前記１つまたは複数のイベントのうちの少なくとも１つが、測定対象にリンクされた少なくとも１つのｒｅｐｏｒｔＣｏｎｆｉｇ中で設定され、前記ｒｅｐｏｒｔＣｏｎｆｉｇ内のその参照信号（ＲＳ）タイプが、測定を実施すべき１つまたは複数の信号タイプのうちの１つの信号タイプにセットされる、第１の指示を提供すること（３０１）と、
前記提供された第１の指示に基づいて、前記無線デバイス（１３０）から第２の指示を取得すること（３０２）であって、前記第２の指示が、少なくとも、前記ｒｅｐｏｒｔＣｏｎｆｉｇ内でセットされる前記１つの信号タイプに対する、前記無線デバイス（１３０）による前記測定に基づく、第２の指示を取得すること（３０２）と
を含む、方法。
【請求項１７】
前記第２の指示が、前記提供された第１の指示に基づくセルレベル情報をさらに備える、請求項１６に記載の方法。
【請求項１８】
前記第２の指示が、前記提供された第１の指示に基づくビームレベル情報をさらに備える、請求項１６または１７に記載の方法。
【請求項１９】
前記提供された設定が前記ｒｅｐｏｒｔＣｏｎｆｉｇである、請求項１６から１８のいずれか一項に記載の方法。
【請求項２０】
前記１つまたは複数の信号タイプが、ＳＳブロック中のＲＳ、または（１つまたは複数の）ＣＳＩ−ＲＳを備える、請求項１６から１９のいずれか一項に記載の方法。
【請求項２１】
ａ．前記１つまたは複数のイベントのうちの前記少なくとも１つがＡ１であり、前記イベントＡ１が設定され、前記第１のセル（１２１）に関連する前記測定対象にリンクされることと、
ｂ．前記１つまたは複数のイベントのうちの前記少なくとも１つがＡ２であり、前記イベントＡ２が設定され、前記第１のセル（１２１）に関連する前記測定対象にリンクされることと
のうちの１つである、請求項１６から２０のいずれか一項に記載の方法。
【請求項２２】
前記１つまたは複数のイベントのうちの前記少なくとも１つがＡ１およびＡ２のうちの１つであり、前記方法は、
ａ．前記測定対象が、前記第１のセル（１２１）に関連し、前記少なくとも１つのｒｅｐｏｒｔＣｏｎｆｉｇにリンクされ、そのＲＳタイプがＳＳにセットされ、前記第２の指示が、前記ＳＳに基づく、前記無線デバイス（１３０）によって実施される第１のセル（１２１）測定に基づくことと、
ｂ．前記測定対象が、前記第１のセル（１２１）に関連し、前記少なくとも１つのｒｅｐｏｒｔＣｏｎｆｉｇにリンクされ、そのＲＳタイプがＣＳＩ−ＲＳにセットされ、前記第２の指示が、前記ＣＳＩ−ＲＳに基づく、前記無線デバイス（１３０）によって実施される第１のセル（１２１）測定に基づくことと
のうちの少なくとも１つをさらに含む、請求項２１に記載の方法。
【請求項２３】
前記１つまたは複数のイベントのうちの前記少なくとも１つがＡ３であり、前記方法は、
ａ．前記Ａ３イベントが、前記測定対象にリンクされた前記少なくとも１つのｒｅｐｏｒｔＣｏｎｆｉｇ中で設定され、そのＲＳタイプがＳＳにセットされ、前記第２の指示が、少なくとも前記ＳＳに基づく、前記無線デバイス（１３０）によって実施される第１のセル（１２１）測定に基づくことと、
ｂ．前記Ａ３イベントが、測定対象にリンクされた前記少なくとも１つのｒｅｐｏｒｔＣｏｎｆｉｇ中で設定され、そのＲＳタイプがＣＳＩ−ＲＳにセットされ、前記第２の指示が、少なくとも前記ＣＳＩ−ＲＳに基づく、前記無線デバイス（１３０）によって実施される第１のセル（１２１）測定に基づくことと
のうちの少なくとも１つをさらに含む、請求項１６から２１のいずれか一項に記載の方法。
【請求項２４】
前記１つまたは複数のイベントのうちの前記少なくとも１つがＡ４であり、前記方法は、
ａ．前記Ａ４イベントが、前記測定対象にリンクされた前記少なくとも１つのｒｅｐｏｒｔＣｏｎｆｉｇ中で設定され、そのＲＳタイプがＳＳにセットされ、前記第２の指示が、ＳＳに基づく、前記無線デバイス（１３０）によって実施される第１のセル（１２１）測定に基づくことと、
ｂ．前記Ａ４イベントが、前記測定対象にリンクされた前記少なくとも１つのｒｅｐｏｒｔＣｏｎｆｉｇ中で設定され、そのＲＳタイプがＣＳＩ−ＲＳにセットされ、前記第２の指示が、ＣＳＩ−ＲＳに基づく、前記無線デバイス（１３０）によって実施される第１のセル（１２１）測定に基づくことと、
ｃ．前記Ａ４イベントが、前記測定対象にリンクされた前記少なくとも１つのｒｅｐｏｒｔＣｏｎｆｉｇ中で設定され、そのＲＳタイプがＣＳＩ−ＲＳにセットされ、前記ＣＳＩ−ＲＳが前記無線デバイス（１３０）のために設定されず、前記第２の指示が、ＳＳに基づく、前記無線デバイス（１３０）によって実施される第１のセル（１２１）測定に基づくことと、
ｄ．前記Ａ４イベントが、前記測定対象にリンクされた前記少なくとも１つのｒｅｐｏｒｔＣｏｎｆｉｇ中で設定され、そのＲＳタイプがＣＳＩ−ＲＳにセットされ、前記ＣＳＩ−ＲＳが前記第１のセル（１２１）のために設定されず、前記ネットワークノード（１１０）が前記無線デバイス（１３０）から通知を受信し、前記通知が前記第１のセル（１２１）のセルレベル測定に関係する失敗を通知することと
のうちの少なくとも１つをさらに含む、請求項１６から２２のいずれか一項に記載の方法。
【請求項２５】
前記１つまたは複数のイベントのうちの前記少なくとも１つがＡ５であり、前記方法は、
ａ．前記Ａ５イベントが、前記測定対象にリンクされた前記少なくとも１つのｒｅｐｏｒｔＣｏｎｆｉｇ中で設定され、そのＲＳタイプがＳＳにセットされ、前記第２の指示が、ＳＳに基づく、前記無線デバイス（１３０）によって実施される第１のセル（１２１）測定に基づくことと、
ｂ．前記Ａ５イベントが、測定対象にリンクされた前記少なくとも１つのｒｅｐｏｒｔＣｏｎｆｉｇ中で設定され、そのＲＳタイプがＣＳＩ−ＲＳにセットされ、前記第２の指示が、ＣＳＩ−ＲＳに基づく、前記無線デバイス（１３０）によって実施される第１のセル（１２１）測定に基づくことと
のうちの少なくとも１つをさらに含む、請求項１６から２３のいずれか一項に記載の方法。
【請求項２６】
前記セルのセットが１つまたは複数の第２のセル（１２２）をさらに備える、請求項１６から２４のいずれか一項に記載の方法。
【請求項２７】
前記第１のセル（１２１）が１次セル（ＰＣｅｌｌ）であり、前記１つまたは複数の第２のセル（１２２）が２次セル（ＳＣｅｌｌ）である、請求項２５に記載の方法。
【請求項２８】
前記１つまたは複数のイベントのうちの前記少なくとも１つがＡ６であり、前記方法は、
ａ．前記Ａ６イベントが、前記測定対象にリンクされた前記少なくとも１つのｒｅｐｏｒｔＣｏｎｆｉｇ中で設定され、そのＲＳタイプがＳＳにセットされ、前記第２の指示が、ＳＳに基づく、１つまたは複数の第２のセル（１２２）上での前記無線デバイス（１３０）によって実施される、設定された前記１つまたは複数の第２のセル（１２２）にリンクされた前記測定対象に関連する周波数に関連する少なくとも前記１つまたは複数の第２のセル（１２２）についての、測定に基づくことと、
ｂ．前記Ａ６イベントが、測定対象にリンクされた前記少なくとも１つのｒｅｐｏｒｔＣｏｎｆｉｇ中で設定され、そのＲＳタイプがＣＳＩ−ＲＳにセットされ、前記第２の指示が、ＣＳＩ−ＲＳに基づく、１つまたは複数の第２のセル（１２２）上での前記無線デバイス（１３０）によって実施される、設定された前記１つまたは複数の第２のセル（１２２）にリンクされた前記測定対象に関連する前記周波数に関連する少なくとも前記１つまたは複数の第２のセル（１２２）についての、測定に基づくことと
のうちの少なくとも１つをさらに含む、請求項２５または２６に記載の方法。
【請求項２９】
前記第２の指示は、前記１つまたは複数のイベントのうちの前記少なくとも１つのどのイベントが設定されるかと、どんなＲＳタイプが設定されるかとにさらに基づく、請求項１６から２７のいずれか一項に記載の方法。
【請求項３０】
無線デバイス（１３０）であって、少なくとも第１のセル（１２１）を備えるように設定されたセルのセット上での前記無線デバイス（１３０）による測定をハンドリングするように設定され、前記セット中の前記セルがサービングセルであるように設定され、前記無線デバイス（１３０）が無線通信ネットワーク（１００）中で動作するように設定され、前記無線デバイス（１３０）は、
前記セルのセット中の各セルについて測定を実施すべき１つまたは複数の信号タイプを決定することであって、決定することが、１つまたは複数のイベントの、設定されたイベントごとの、取得されるように設定された設定に基づくように設定され、前記１つまたは複数のイベントの各々が、測定リポートをトリガするための条件をセットするように設定され、前記１つまたは複数のイベントのうちの少なくとも１つが、測定対象にリンクされるように設定された少なくとも１つのｒｅｐｏｒｔＣｏｎｆｉｇ中で設定され、前記ｒｅｐｏｒｔＣｏｎｆｉｇ内のその参照信号（ＲＳ）タイプが、前記１つまたは複数の信号タイプのうちの１つの信号タイプにセットされるように設定され、前記無線デバイス（１３０）が、少なくとも、セットされるように設定された前記１つの信号タイプに対して前記測定を実施することを決定するように設定された、１つまたは複数の信号タイプを決定することと、
前記無線デバイス（１３０）をサービングするように設定されたネットワークノード（１１０）に指示を送ることを始動することであって、前記指示が、決定されるように設定された前記１つまたは複数の信号タイプに対する前記無線デバイス（１３０）による前記測定に基づくように設定された、指示を送ることを始動することと
を行うようにさらに設定された、無線デバイス（１３０）。
【請求項３１】
前記指示が、決定されるように設定された前記１つまたは複数の信号タイプに基づくセルレベル情報を備えるようにさらに設定された、請求項３０に記載の無線デバイス（１３０）。
【請求項３２】
前記指示が、決定されるように設定された前記１つまたは複数の信号タイプに基づくビームレベル情報を備えるようにさらに設定された、請求項３０または３１に記載の無線デバイス（１３０）。
【請求項３３】
取得されるように設定された前記設定が前記ｒｅｐｏｒｔＣｏｎｆｉｇである、請求項３０から３２のいずれか一項に記載の無線デバイス（１３０）。
【請求項３４】
前記指示が第２の指示であり、前記無線デバイス（１３０）は、
前記ネットワークノード（１１０）から第１の指示を取得することであって、前記第１の指示が前記設定を備えるように設定された、第１の指示を取得すること
を行うようにさらに設定された、請求項３０から３３のいずれか一項に記載の無線デバイス（１３０）。
【請求項３５】
前記１つまたは複数の信号タイプが、ＳＳブロック中のＲＳ、または（１つまたは複数の）ＣＳＩ−ＲＳを備える、請求項３０から３４のいずれか一項に記載の無線デバイス（１３０）。
【請求項３６】
ａ．前記１つまたは複数のイベントのうちの前記少なくとも１つがＡ１であり、前記イベントＡ１が設定され、前記第１のセル（１２１）に関連するように設定された前記測定対象にリンクされるように設定されることと、
ｂ．前記１つまたは複数のイベントのうちの前記少なくとも１つがＡ２であり、前記イベントＡ２が設定され、前記第１のセル（１２１）に関連するように設定された前記測定対象にリンクされるように設定されることと
のうちの１つである、請求項３０から３５のいずれか一項に記載の無線デバイス（１３０）。
【請求項３７】
前記１つまたは複数のイベントのうちの前記少なくとも１つがＡ１およびＡ２のうちの１つであり、
ａ．前記測定対象が、前記第１のセル（１２１）に関連するように設定され、前記少なくとも１つのｒｅｐｏｒｔＣｏｎｆｉｇにリンクされるように設定され、そのＲＳタイプがＳＳにセットされるように設定され、前記無線デバイス（１３０）が、前記ＳＳに基づく第１のセル（１２１）測定を実施するようにさらに設定されることと、
ｂ．前記測定対象が、前記第１のセル（１２１）に関連するように設定され、前記少なくとも１つのｒｅｐｏｒｔＣｏｎｆｉｇにリンクされるように設定され、そのＲＳタイプがＣＳＩ−ＲＳにセットされるように設定され、前記無線デバイス（１３０）が、前記ＣＳＩ−ＲＳに基づく第１のセル（１２１）測定を実施するようにさらに設定されることと
のうちの少なくとも１つが適用される、請求項３６に記載の無線デバイス（１３０）。
【請求項３８】
前記１つまたは複数のイベントのうちの前記少なくとも１つがＡ３であり、
ａ．前記Ａ３イベントが、前記測定対象にリンクされるように設定された前記少なくとも１つのｒｅｐｏｒｔＣｏｎｆｉｇ中で設定され、そのＲＳタイプがＳＳにセットされるように設定され、前記無線デバイス（１３０）が、少なくとも前記ＳＳに基づく第１のセル（１２１）測定を実施するようにさらに設定されることと、
ｂ．前記Ａ３イベントが、測定対象にリンクされるように設定された前記少なくとも１つのｒｅｐｏｒｔＣｏｎｆｉｇ中で設定され、そのＲＳタイプがＣＳＩ−ＲＳにセットされるように設定され、前記無線デバイス（１３０）が、少なくとも前記ＣＳＩ−ＲＳに基づく第１のセル（１２１）測定を実施するようにさらに設定されることと
のうちの少なくとも１つが適用される、請求項３０から３７のいずれか一項に記載の無線デバイス（１３０）。
【請求項３９】
前記１つまたは複数のイベントのうちの前記少なくとも１つがＡ４であり、
ａ．前記Ａ４イベントが、前記測定対象にリンクされるように設定された前記少なくとも１つのｒｅｐｏｒｔＣｏｎｆｉｇ中で設定され、そのＲＳタイプがＳＳにセットされるように設定され、前記無線デバイス（１３０）が、ＳＳに基づく第１のセル（１２１）測定を実施するようにさらに設定されることと、
ｂ．前記Ａ４イベントが、前記測定対象にリンクされるように設定された前記少なくとも１つのｒｅｐｏｒｔＣｏｎｆｉｇ中で設定され、そのＲＳタイプがＣＳＩ−ＲＳにセットされるように設定され、前記無線デバイス（１３０）が、ＣＳＩ−ＲＳに基づく第１のセル（１２１）測定を実施するようにさらに設定されることと、
ｃ．前記Ａ４イベントが、前記測定対象にリンクされるように設定された前記少なくとも１つのｒｅｐｏｒｔＣｏｎｆｉｇ中で設定され、そのＲＳタイプがＣＳＩ−ＲＳにセットされるように設定され、前記ＣＳＩ−ＲＳが前記無線デバイス（１３０）のために設定されず、前記無線デバイス（１３０）が、ＳＳに基づく第１のセル（１２１）測定を実施するようにさらに設定されることと、
ｄ．前記Ａ４イベントが、前記測定対象にリンクされるように設定された前記少なくとも１つのｒｅｐｏｒｔＣｏｎｆｉｇ中で設定され、そのＲＳタイプがＣＳＩ−ＲＳにセットされるように設定され、前記ＣＳＩ−ＲＳが前記第１のセル（１２１）のために設定されず、前記無線デバイス（１３０）が、前記第１のセル（１２１）のセルレベル測定に関係する失敗を前記ネットワークに通知するようにさらに設定されることと
のうちの少なくとも１つが適用される、請求項３０から３８のいずれか一項に記載の無線デバイス（１３０）。
【請求項４０】
前記１つまたは複数のイベントのうちの前記少なくとも１つがＡ５であり、
ａ．前記Ａ５イベントが、前記測定対象にリンクされるように設定された前記少なくとも１つのｒｅｐｏｒｔＣｏｎｆｉｇ中で設定され、そのＲＳタイプがＳＳにセットされるように設定され、前記無線デバイス（１３０）が、ＳＳに基づく第１のセル（１２１）測定を実施するようにさらに設定されることと、
ｂ．前記Ａ５イベントが、測定対象にリンクされるように設定された前記少なくとも１つのｒｅｐｏｒｔＣｏｎｆｉｇ中で設定され、そのＲＳタイプがＣＳＩ−ＲＳにセットされるように設定され、前記無線デバイス（１３０）が、ＣＳＩ−ＲＳに基づく第１のセル（１２１）測定を実施するようにさらに設定されることと
のうちの少なくとも１つが適用される、請求項３０から３９のいずれか一項に記載の無線デバイス（１３０）。
【請求項４１】
前記セルのセットが１つまたは複数の第２のセル（１２２）をさらに備えるようにさらに設定された、請求項３０から４０のいずれか一項に記載の無線デバイス（１３０）。
【請求項４２】
前記第１のセル（１２１）が１次セル（ＰＣｅｌｌ）であるように設定され、前記１つまたは複数の第２のセル（１２２）が２次セル（ＳＣｅｌｌ）であるように設定された、請求項４１に記載の無線デバイス（１３０）。
【請求項４３】
前記１つまたは複数のイベントのうちの前記少なくとも１つがＡ６であり、
ａ．前記Ａ６イベントが、前記測定対象にリンクされるように設定された前記少なくとも１つのｒｅｐｏｒｔＣｏｎｆｉｇ中で設定され、そのＲＳタイプがＳＳにセットされるように設定され、前記無線デバイス（１３０）が、ＳＳに基づく１つまたは複数の第２のセル（１２２）測定を、設定された前記１つまたは複数の第２のセル（１２２）にリンクされるように設定された前記測定対象に関連する周波数に関連するように設定された少なくとも前記１つまたは複数の第２のセル（１２２）について実施するようにさらに設定されることと、
ｂ．前記Ａ６イベントが、測定対象にリンクされるように設定された前記少なくとも１つのｒｅｐｏｒｔＣｏｎｆｉｇ中で設定され、そのＲＳタイプがＣＳＩ−ＲＳにセットされるように設定され、前記無線デバイス（１３０）が、ＣＳＩ−ＲＳに基づく１つまたは複数の第２のセル（１２２）測定を、設定された前記１つまたは複数の第２のセル（１２２）にリンクされるように設定された前記測定対象に関連する前記周波数に関連するように設定された少なくとも前記１つまたは複数の第２のセル（１２２）について実施するようにさらに設定されることと
のうちの少なくとも１つが適用される、請求項４１または４２に記載の無線デバイス（１３０）。
【請求項４４】
前記指示は、前記１つまたは複数のイベントのうちの前記少なくとも１つのどのイベントが設定されるかと、どんなＲＳタイプが設定されるかとに基づくようにさらに設定された、請求項３０から４３のいずれか一項に記載の無線デバイス（１３０）。
【請求項４５】
少なくとも第１のセル（１２１）を備えるように設定されたセルのセット上での無線デバイス（１３０）による測定をハンドリングするように設定されたネットワークノード（１１０）であって、前記セット中の前記セルがサービングセルであるように設定され、前記ネットワークノード（１１０）と前記無線デバイス（１３０）とが無線通信ネットワーク（１００）中で動作するように設定され、前記ネットワークノード（１１０）は、
前記無線デバイス（１３０）に第１の指示を提供することであって、前記第１の指示が、１つまたは複数のイベントの、設定されたイベントごとの、設定を備えるように設定され、前記１つまたは複数のイベントの各々が、測定リポートをトリガするための条件をセットするように設定され、前記１つまたは複数のイベントのうちの少なくとも１つが、測定対象にリンクされるように設定された、少なくとも１つのｒｅｐｏｒｔＣｏｎｆｉｇ中で設定され、前記ｒｅｐｏｒｔＣｏｎｆｉｇ内のその参照信号（ＲＳ）タイプが、測定を実施すべき１つまたは複数の信号タイプのうちの１つの信号タイプにセットされるように設定された、第１の指示を提供することと、
提供されるように設定された前記第１の指示に基づいて、前記無線デバイス（１３０）から第２の指示を取得することであって、前記第２の指示が、少なくとも、前記ｒｅｐｏｒｔＣｏｎｆｉｇ内でセットされるように設定された前記１つの信号タイプに対する、前記無線デバイス（１３０）による前記測定に基づくように設定された、第２の指示を取得することと
を行うようにさらに設定された、ネットワークノード（１１０）。
【請求項４６】
前記第２の指示が、提供されるように設定された前記第１の指示に基づくセルレベル情報を備えるようにさらに設定された、請求項４５に記載のネットワークノード（１１０）。
【請求項４７】
前記第２の指示が、提供されるように設定された前記第１の指示に基づくビームレベル情報を備えるようにさらに設定された、請求項４５または４６に記載のネットワークノード（１１０）。
【請求項４８】
提供されるように設定された前記設定が前記ｒｅｐｏｒｔＣｏｎｆｉｇである、請求項４５から４７のいずれか一項に記載のネットワークノード（１１０）。
【請求項４９】
前記１つまたは複数の信号タイプが、ＳＳブロック中のＲＳ、または（１つまたは複数の）ＣＳＩ−ＲＳを備える、請求項４５から４８のいずれか一項に記載のネットワークノード（１１０）。
【請求項５０】
ａ．前記１つまたは複数のイベントのうちの前記少なくとも１つがＡ１であり、前記イベントＡ１が、前記第１のセル（１２１）に関連するように設定された前記測定対象に設定、およびリンクされるように設定されることと、
ｂ．前記１つまたは複数のイベントのうちの前記少なくとも１つがＡ２であり、前記イベントＡ２が設定され、前記第１のセル（１２１）に関連するように設定された前記測定対象にリンクされるように設定されることと
のうちの１つである、請求項４５から４９のいずれか一項に記載のネットワークノード（１１０）。
【請求項５１】
前記１つまたは複数のイベントのうちの前記少なくとも１つがＡ１およびＡ２のうちの１つであり、
ａ．前記測定対象が、前記第１のセル（１２１）に関連するように設定され、前記少なくとも１つのｒｅｐｏｒｔＣｏｎｆｉｇにリンクされるように設定され、そのＲＳタイプがＳＳにセットされるように設定され、前記第２の指示が、前記ＳＳに基づく、前記無線デバイス（１３０）によって実施されるように設定された第１のセル（１２１）測定に基づくように設定されることと、
ｂ．前記測定対象が、前記第１のセル（１２１）に関連するように設定され、前記少なくとも１つのｒｅｐｏｒｔＣｏｎｆｉｇにリンクされるように設定され、そのＲＳタイプがＣＳＩ−ＲＳにセットされるように設定され、前記第２の指示が、前記ＣＳＩ−ＲＳに基づく、前記無線デバイス（１３０）によって実施されるように設定された第１のセル（１２１）測定に基づくように設定されることと
のうちの少なくとも１つが適用される、請求項５０に記載のネットワークノード（１１０）。
【請求項５２】
前記１つまたは複数のイベントのうちの前記少なくとも１つがＡ３であり、
ａ．前記Ａ３イベントが、前記測定対象にリンクされるように設定された前記少なくとも１つのｒｅｐｏｒｔＣｏｎｆｉｇ中で設定され、そのＲＳタイプがＳＳにセットされるように設定され、前記第２の指示が、少なくとも前記ＳＳに基づく、前記無線デバイス（１３０）によって実施されるように設定された第１のセル（１２１）測定に基づくように設定されることと、
ｂ．前記Ａ３イベントが、測定対象にリンクされるように設定された前記少なくとも１つのｒｅｐｏｒｔＣｏｎｆｉｇ中で設定され、そのＲＳタイプがＣＳＩ−ＲＳにセットされるように設定され、前記第２の指示が、少なくとも前記ＣＳＩ−ＲＳに基づく、前記無線デバイス（１３０）によって実施されるように設定された第１のセル（１２１）測定に基づくように設定されることと
のうちの少なくとも１つが適用される、請求項４５から５１のいずれか一項に記載のネットワークノード（１１０）。
【請求項５３】
前記１つまたは複数のイベントのうちの前記少なくとも１つがＡ４であり、
ａ．前記Ａ４イベントが、前記測定対象にリンクされるように設定された前記少なくとも１つのｒｅｐｏｒｔＣｏｎｆｉｇ中で設定され、そのＲＳタイプがＳＳにセットされるように設定され、前記第２の指示が、ＳＳに基づく、前記無線デバイス（１３０）によって実施されるように設定された第１のセル（１２１）測定に基づくように設定されることと、
ｂ．前記Ａ４イベントが、前記測定対象にリンクされるように設定された前記少なくとも１つのｒｅｐｏｒｔＣｏｎｆｉｇ中で設定され、そのＲＳタイプがＣＳＩ−ＲＳにセットされるように設定され、前記第２の指示が、ＣＳＩ−ＲＳに基づく、前記無線デバイス（１３０）によって実施されるように設定された第１のセル（１２１）測定に基づくように設定されることと、
ｃ．前記Ａ４イベントが、前記測定対象にリンクされるように設定された前記少なくとも１つのｒｅｐｏｒｔＣｏｎｆｉｇ中で設定され、そのＲＳタイプがＣＳＩ−ＲＳにセットされるように設定され、前記ＣＳＩ−ＲＳが前記無線デバイス（１３０）のために設定されず、前記第２の指示が、ＳＳに基づく、前記無線デバイス（１３０）によって実施されるように設定された第１のセル（１２１）測定に基づくように設定されることと、
ｄ．前記Ａ４イベントが、前記測定対象にリンクされるように設定された前記少なくとも１つのｒｅｐｏｒｔＣｏｎｆｉｇ中で設定され、そのＲＳタイプがＣＳＩ−ＲＳにセットされるように設定され、前記ＣＳＩ−ＲＳが前記第１のセル（１２１）のために設定されず、前記ネットワークノード（１１０）が前記無線デバイス（１３０）から通知を受信するように設定され、前記通知が前記第１のセル（１２１）のセルレベル測定に関係する失敗を通知するように設定されることと
のうちの少なくとも１つが適用される、請求項４５から５２のいずれか一項に記載のネットワークノード（１１０）。
【請求項５４】
前記１つまたは複数のイベントのうちの前記少なくとも１つがＡ５であり、
ａ．前記Ａ５イベントが、前記測定対象にリンクされるように設定された前記少なくとも１つのｒｅｐｏｒｔＣｏｎｆｉｇ中で設定され、そのＲＳタイプがＳＳにセットされるように設定され、前記第２の指示が、ＳＳに基づく、前記無線デバイス（１３０）によって実施されるように設定された第１のセル（１２１）測定に基づくように設定されることと、
ｂ．前記Ａ５イベントが、測定対象にリンクされるように設定された前記少なくとも１つのｒｅｐｏｒｔＣｏｎｆｉｇ中で設定され、そのＲＳタイプがＣＳＩ−ＲＳにセットされるように設定され、前記第２の指示が、ＣＳＩ−ＲＳに基づく、前記無線デバイス（１３０）によって実施されるように設定された第１のセル（１２１）測定に基づくように設定されることと
のうちの少なくとも１つが適用される、請求項４５から５３のいずれか一項に記載のネットワークノード（１１０）。
【請求項５５】
前記セルのセットが１つまたは複数の第２のセル（１２２）を備えるようにさらに設定された、請求項４５から５４のいずれか一項に記載のネットワークノード（１１０）。
【請求項５６】
前記第１のセル（１２１）が１次セル（ＰＣｅｌｌ）であるように設定され、前記１つまたは複数の第２のセル（１２２）が２次セル（ＳＣｅｌｌ）であるように設定された、請求項５５に記載のネットワークノード（１１０）。
【請求項５７】
前記１つまたは複数のイベントのうちの前記少なくとも１つがＡ６であり、
ｃ．前記Ａ６イベントが、前記測定対象にリンクされるように設定された前記少なくとも１つのｒｅｐｏｒｔＣｏｎｆｉｇ中で設定され、そのＲＳタイプがＳＳにセットされるように設定され、前記第２の指示が、ＳＳに基づく、１つまたは複数の第２のセル（１２２）上での前記無線デバイス（１３０）によって実施されるように設定された、設定された前記１つまたは複数の第２のセル（１２２）にリンクされるように設定された前記測定対象に関連する周波数に関連するように設定された少なくとも前記１つまたは複数の第２のセル（１２２）についての、測定に基づくように設定されることと、
ｄ．前記Ａ６イベントが、測定対象にリンクされるように設定された前記少なくとも１つのｒｅｐｏｒｔＣｏｎｆｉｇ中で設定され、そのＲＳタイプがＣＳＩ−ＲＳにセットされるように設定され、前記第２の指示が、ＣＳＩ−ＲＳに基づくように設定された、１つまたは複数の第２のセル（１２２）上での前記無線デバイス（１３０）によって実施されるように設定された、設定された前記１つまたは複数の第２のセル（１２２）にリンクされるように設定された前記測定対象に関連するように設定された前記周波数に関連するように設定された少なくとも前記１つまたは複数の第２のセル（１２２）についての、測定に基づくように設定されることと
のうちの少なくとも１つが適用される、請求項５５または５６に記載のネットワークノード（１１０）。
【請求項５８】
前記第２の指示は、前記１つまたは複数のイベントのうちの前記少なくとも１つのどのイベントが設定されるかと、どんなＲＳタイプが設定されるかとに基づくようにさらに設定された、請求項４５から５７のいずれか一項に記載のネットワークノード（１１０）。
【発明の詳細な説明】
【技術分野】
【０００１】
本開示は、一般に、セルのセット上での無線デバイスによる測定をハンドリングするための、無線デバイスと、無線デバイスによって実施される方法とに関する。本開示は、さらに、一般に、セルのセット上での無線デバイスによる測定をハンドリングするための、ネットワークノードと、ネットワークノードによって実施される方法とに関する。
【背景技術】
【０００２】
無線通信ネットワーク内の通信デバイスは、たとえば、ユーザ機器（ＵＥ）、局（ＳＴＡ）、モバイル端末、無線端末、端末、および／または移動局（ＭＳ）など、無線デバイスであり得る。無線デバイスは、セルラー無線システム、セルラーシステム、またはセルラーネットワークと呼ばれることもある、セルラー通信ネットワークまたは無線通信ネットワーク中で無線通信することを可能にされる。通信は、無線通信ネットワーク内に備えられる、無線アクセスネットワーク（ＲＡＮ）、および場合によっては１つまたは複数のコアネットワークを介して、たとえば、２つの無線デバイス間で、無線デバイスと通常の電話との間で、および／または無線デバイスとサーバとの間で実施され得る。無線デバイスは、さらに、ほんのいくつかのさらなる例を挙げると、携帯電話、セルラー電話、ラップトップ、または無線能力をもつタブレットと呼ばれることがある。本コンテキストにおける無線デバイスは、たとえば、ＲＡＮを介して、別の端末またはサーバなど、別のエンティティと音声および／またはデータを通信することが可能な、ポータブル、ポケット収容可能、ハンドヘルド、コンピュータ具備（ｃｏｍｐｕｔｅｒ  ｃｏｍｐｒｉｓｅｄ）、または車載型モバイルデバイスであり得る。
【０００３】
通信デバイスはまた、無線ネットワークノード、たとえば、送信ポイント（ＴＰ）など、ネットワークノードであり得る。無線通信ネットワークは、セルエリアに分割され得る地理的エリアをカバーし、各セルエリアが、基地局（ＢＳ）、たとえば、無線基地局（ＲＢＳ）など、ネットワークノードによってサービングされ、基地局（ＢＳ）は、使用される技術および術語に応じて、たとえば、ｇＮＢ、エボルブドノードＢ（「ｅＮＢ」）、「ｅノードＢ」、「ノードＢ」、「Ｂノード」、またはＢＴＳ（基地トランシーバ局）と呼ばれることがある。基地局は、送信電力およびそれによりセルサイズにも基づいて、たとえば、ワイドエリア基地局、中距離基地局、ローカルエリア基地局およびホーム基地局など、異なるクラスのものであり得る。セルは、基地局サイトにおける基地局によって無線カバレッジが提供される、地理的エリアである。基地局サイト上に位置する１つの基地局は、１つまたは数個のセルをサービングし得る。さらに、各基地局は、１つまたは数個の通信技術をサポートし得る。無線通信ネットワークはまた、サービングビームを用いて、無線デバイスなど、受信ノードをサービングし得るネットワークノードを備える、非セルラーシステムであり得る。第３世代パートナーシッププロジェクト（３ＧＰＰ）Ｌｏｎｇ  Ｔｅｒｍ  Ｅｖｏｌｕｔｉｏｎ（ＬＴＥ）では、ｅノードＢ、さらにはｅＮＢと呼ばれることがある、基地局は、１つまたは複数のコアネットワークに直接接続され得る。本開示のコンテキストでは、ダウンリンク（ＤＬ）という表現は、基地局から無線デバイスへの送信経路のために使用され得る。アップリンク（ＵＬ）という表現は、反対方向における、すなわち、無線デバイスから基地局への送信経路のために使用され得る。
【０００４】
セルラーネットワークなど、無線通信システムでは、無線デバイス、たとえば、無線デバイスは、異なるセルからの信号の測定を実施することによって、たとえば、異なる無線基地局からのものであり得る異なるセルから、または同じ基地局によってサービングされる異なるセルからの異なる信号強度を監視することによって、周囲無線環境を監視していることがある。セルからの信号強度が強いほど、そのセルはキャンプオンするのにより好適である。周囲無線環境を頻繁に監視することによって、無線デバイスは、無線デバイスの現在の位置に鑑みて、最も強い信号強度を用いて無線デバイスをサービングするセル、またはより強いセルのうちの少なくとも１つにキャンプオンしていることが保証され得る。
【０００５】
ＬＴＥでは、測定を実施するための必要な情報をＵＥに提供すると理解され得る測定設定、ＭｅａｓＣｏｎｆｉｇが、ＵＥに提供され得る。ＵＥに提供されたＭｅａｓＣｏｎｆｉｇは、ＵＥに、とりわけ、測定対象、報告設定、および量設定を知らせ得る。測定対象は、測定されるべきである周波数またはキャリアと、その周波数またはキャリアにおいて測定を実施するために必要とされ得る関連情報、たとえば、どのセルが前記周波数において測定されるべきか、どのセルが前記周波数において測定されるべきでないか、どんなセル個別オフセットが使用されるべきかなどとを指すと理解され得る。報告設定は、報告されるべき測定結果について満たされるべき条件に規定すると理解され得、量設定は、測定量、たとえば、参照信号受信電力（ＲＳＲＰ）、参照信号受信品質（ＲＳＲＱ）、信号対干渉プラス雑音比（ＳＩＮＲ）、特定のフィルタ処理係数などをどのようにフィルタ処理すべきかを指すと理解され得る。
2020530680.tif 000003
【０００６】
ＵＥは複数の測定対象を伴って設定され得、その各々が、その測定対象に関連するキャリアに対応し得る。キャリアアグリゲーション（ＣＡ）またはデュアルコネクティビティ（ＤＣ）の場合、ＵＥは、１つのＰＣｅｌｌ、および場合によっては１つまたは複数のＳＣｅｌｌを伴って設定され得る。ＵＥは、これらの対応する周波数において測定を実施することを必要とされ得る。
【０００７】
ＬＴＥでは、セル品質またはセル測定結果を導出するために、１つの参照信号（ＲＳ）タイプのみが使用され得る。したがって、測定設定を受信すると、ＵＥは、ＰＣｅｌｌおよび設定されたＳＣｅｌｌについて、それらの設定された周波数におけるセル固有ＲＳに基づくセル測定結果を実施することを必要とされ得る。したがって、すべてのこれらのサービングセルについて、ＵＥは、同じＲＳタイプ、すなわちセル固有ＲＳを使用し得る。
【０００８】
ＮＲアーキテクチャ
３ＧＰＰにおいて規格化され始めた無線の観点からのいわゆる５Ｇシステム、およびいわゆる新しい無線（ＮＲ）が、無線インターフェースのための名前である。ＮＲの特性のうちの１つは、ＬＴＥよりも高い、たとえば、６ＧＨｚを上回る周波数に進む周波数範囲であり、より高い透過損失など、より困難な伝搬条件を有することが知られている。これらの影響のうちのいくつかを緩和するために、ビームフォーミングなど、マルチアンテナ技術が大量に使用され得る。また別のＮＲ特性は、より短いレイテンシを可能にする可能性である。
【０００９】
ＮＲアーキテクチャは３ＧＰＰにおいて説明されており、ｇＮＢがＮＲ  ＢＳを示す。１つのＮＲ  ＢＳは、１つまたは複数の送信／受信ポイントに対応し得る。スタンドアロンＮＲ展開と非スタンドアロンＮＲ展開の両方が３ＧＰＰにおいて規格化される。スタンドアロン展開は、シングルまたはマルチキャリア、たとえば、ＮＲ  ＰＣｅｌｌおよびＮＲ  ＰＳＣｅｌｌをもつＮＲ  ＣＡまたはデュアルコネクティビティであり得る。非スタンドアロン展開は、現在、ＬＴＥ  ＰＣｅｌｌおよびＮＲ  ＰＳＣｅｌｌをもつ展開を表すことが意図されている。１つまたは複数のＬＴＥ  ＳＣｅｌｌおよび１つまたは複数のＮＲ  ＳＣｅｌｌもあり得る。
【００１０】
現在、ＮＲにおいてサービングセル関係測定をどのように実施すべきかに関する既存の設定はない。
【発明の概要】
【００１１】
本明細書の実施形態の目的は、ＮＲにおける無線デバイスによるセル測定のハンドリングを可能にすることである。
【００１２】
本明細書の実施形態の第１の態様によれば、目的は、無線デバイスによって実施される方法によって達成される。本方法は、少なくとも第１のセルを備えるセルのセット上での無線デバイスによる測定をハンドリングするためのものである。セット中のセルはサービングセルである。無線デバイスは無線通信ネットワーク中で動作する。無線デバイスは、セルのセット中の各セルについて測定を実施すべき１つまたは複数の信号タイプを決定する。決定は、１つまたは複数のイベントの、設定されたイベントごとの、取得された設定に基づく。１つまたは複数のイベントの各々は、測定リポートをトリガするための条件をセットする。１つまたは複数のイベントのうちの少なくとも１つが、少なくとも１つのｒｅｐｏｒｔＣｏｎｆｉｇ中で設定される。ｒｅｐｏｒｔＣｏｎｆｉｇは測定対象にリンクされ、ｒｅｐｏｒｔＣｏｎｆｉｇ内のその参照信号（ＲＳ）タイプが、１つまたは複数の信号タイプのうちの１つの信号タイプにセットされる。無線デバイスは、少なくとも、セットされる１つの信号タイプに対して測定を実施することを決定する。無線デバイスは、次いで、無線デバイスをサービングするネットワークノードに指示を送ることを始動する。指示は、決定された１つまたは複数の信号タイプに対する無線デバイスによる測定に基づく。
【００１３】
本明細書の実施形態の第２の態様によれば、目的は、ネットワークノードによって実施される方法によって達成される。本方法は、少なくとも第１のセルを備えるセルのセット上での無線デバイスによる測定をハンドリングするためのものである。セット中のセルはサービングセルである。ネットワークノードと無線デバイスとは無線通信ネットワーク中で動作する。ネットワークノードは、無線デバイスに第１の指示を提供する。第１の指示は、１つまたは複数のイベントの、設定されたイベントごとの、設定を備える。１つまたは複数のイベントの各々は、測定リポートをトリガするための条件をセットする。１つまたは複数のイベントのうちの少なくとも１つが、少なくとも１つのｒｅｐｏｒｔＣｏｎｆｉｇ中で設定される。ｒｅｐｏｒｔＣｏｎｆｉｇは測定対象にリンクされ、ｒｅｐｏｒｔＣｏｎｆｉｇ内のそのＲＳタイプが、測定を実施すべき１つまたは複数の信号タイプのうちの１つの信号タイプにセットされる。ネットワークノードは、次いで、提供された第１の指示に基づいて、無線デバイスから第２の指示を取得する。第２の指示は、少なくとも、ｒｅｐｏｒｔＣｏｎｆｉｇ内でセットされる１つの信号タイプに対する、無線デバイスによる測定に基づく。
【００１４】
本明細書の実施形態の第３の態様によれば、目的は、少なくとも第１のセルを備えるように設定されたセルのセット上での無線デバイスによる測定をハンドリングするように設定された無線デバイスによって達成される。セット中のセルはサービングセルであるように設定される。無線デバイスは無線通信ネットワーク中で動作するように設定される。無線デバイスは、セルのセット中の各セルについて測定を実施すべき１つまたは複数の信号タイプを決定するようにさらに設定される。決定することは、１つまたは複数のイベントの、設定されたイベントごとの、取得されるように設定された設定に基づくように設定される。１つまたは複数のイベントの各々は、測定リポートをトリガするための条件をセットするように設定される。１つまたは複数のイベントのうちの少なくとも１つが、少なくとも１つのｒｅｐｏｒｔＣｏｎｆｉｇ中で設定される。ｒｅｐｏｒｔＣｏｎｆｉｇは測定対象にリンクされるように設定され、ｒｅｐｏｒｔＣｏｎｆｉｇ内のそのＲＳタイプが、１つまたは複数の信号タイプのうちの１つの信号タイプにセットされるように設定される。無線デバイスは、少なくとも、セットされるように設定された１つの信号タイプに対して測定を実施することを決定するように設定される。無線デバイスは、無線デバイスをサービングするように設定されたネットワークノードに指示を送ることを始動するようにさらに設定される。指示は、決定されるように設定された１つまたは複数の信号タイプに対する無線デバイスによる測定に基づくように設定される。
【００１５】
本明細書の実施形態の第４の態様によれば、目的は、少なくとも第１のセルを備えるように設定されたセルのセット上での無線デバイスによる測定をハンドリングするように設定されたネットワークノードによって達成される。セット中のセルはサービングセルであるように設定される。ネットワークノードと無線デバイスとは無線通信ネットワーク中で動作するように設定される。ネットワークノードは、無線デバイスに第１の指示を提供するようにさらに設定される。第１の指示は、１つまたは複数のイベントの、設定されたイベントごとの、設定を備えるように設定される。１つまたは複数のイベントの各々は、測定リポートをトリガするための条件をセットするように設定される。１つまたは複数のイベントのうちの少なくとも１つが、少なくとも１つのｒｅｐｏｒｔＣｏｎｆｉｇ中で設定される。ｒｅｐｏｒｔＣｏｎｆｉｇは測定対象にリンクされるように設定され、ｒｅｐｏｒｔＣｏｎｆｉｇ内のそのＲＳタイプが、測定を実施すべき１つまたは複数の信号タイプのうちの１つの信号タイプにセットされるように設定される。ネットワークノードは、提供されるように設定された第１の指示に基づいて、無線デバイスから第２の指示を取得するようにも設定される。第２の指示は、少なくとも、ｒｅｐｏｒｔＣｏｎｆｉｇ内でセットされるように設定された１つの信号タイプに対する、無線デバイスによる測定に基づくように設定される。
【００１６】
無線デバイスが、設定されたイベントごとの取得された設定に基づいて、セルのセット中のセルの各々について測定を実施すべき１つまたは複数の信号タイプを決定することによって、サービングセル測定を実施するためにどのＲＳタイプが使用され得るかを指示するために、既存のＲＳタイプがネットワークノードによって使用され得る。したがって、２つ以上のＲＳが使用され得るとき、設定は可能にされる。さらに、設定プロシージャは簡略化され、ネットワークノードと無線デバイスの両方について、処理リソースと、エネルギーリソースと、無線リソースとを節約する。
【００１７】
さらに、測定リポートは、異なるタイプの信号、たとえば、ＲＳ信号に基づく、セルのセット中のセル、たとえば、ＳＣｅｌｌの品質を含んでいることがある。次いでネットワークノードに指示を送ることを始動することによって、ネットワークは、たとえば、デュアルコネクティビティまたはキャリアアグリゲーションを確立する前に、両方の異なる信号に基づいてセルの品質を評価することを可能にされ得る。これは、詳細には、たとえば、異なるタイプの信号がビームフォーミングされた信号であり得、それらの信号が別様にビームフォーミングされ得るとき、有用であり得る。信号のタイプのうちの１つがカバレッジ指向、たとえば、均一なカバレッジをもつより広いビームであり得、別のタイプの信号が容量指向、たとえば、より狭いビームであり得、ただし、むらがあるカバレッジをもつ。ネットワークノードが信号の両方のこれらのタイプに基づくＳＣｅｌｌ品質を取得する場合、特定のセル、たとえば、ＳＣｅｌｌが無線デバイスに好適であり得るか否かをより良く判定することが可能にされ得る。
【００１８】
本明細書の実施形態の例が、添付の図面を参照しながら、および以下の説明に従って、より詳細に説明される。
【図面の簡単な説明】
【００１９】
【図１】本明細書の実施形態による、無線通信ネットワークを示す概略図である。
【図２】本明細書の実施形態による、無線デバイスにおける方法の実施形態を示すフローチャートである。
【図３】本明細書の実施形態による、ネットワークノードにおける方法を示すフローチャートである。
【図４】本明細書の実施形態による、例示的なシナリオを示す概略図である。
【図５】本明細書の実施形態による、無線デバイスの２つの非限定的な例、ａ）およびｂ）を示す概略ブロック図である。
【図６】本明細書の実施形態による、ネットワークノードの２つの非限定的な例、ａ）およびｂ）を示す概略ブロック図である。
【図７】本明細書の実施形態による、電気通信システムにおける方法を示すフローチャートである。
【図８】本明細書の実施形態による、ホストコンピュータの２つの非限定的な例、ａ）およびｂ）を示す概略ブロック図である。
【図９】本明細書の実施形態による、電気通信システムを示す概略ブロック図である。
【発明を実施するための形態】
【００２０】
本明細書の実施形態の発展の一部として、既存の技術に関する１つまたは複数の問題が最初に識別され、説明される。
【００２１】
ＮＲでは、セル測定結果、たとえば、参照信号受信電力（ＲＳＲＰ）、参照信号受信品質（ＲＳＲＱ）、信号対干渉プラス雑音比（ＳＩＮＲ）は、異なるＲＳタイプ、たとえば、ＮＲ同期信号（ＮＲ−ＳＳ）またはチャネル状態情報ＲＳ（ＣＳＩ−ＲＳ）に基づいて算出され得、ここで、含まれるべき測定量は、ｒｅｐｏｒｔＣｏｎｆｉｇごとに設定され得る。
2020530680.tif 000004
【００２２】
ＰＣｅｌｌ測定とＳＣｅｌｌ測定とが常に測定リポート中に含まれ得ることも合意された。
2020530680.tif 000005
【００２３】
ＰＣｅｌｌおよびＳＣｅｌｌは、ＮＲ−ＳＳとＣＳＩ−ＲＳの両方を送信していることがある。そのようなシナリオでは、ＵＥがサービングセル測定を実施し、ｒｅｐｏｒｔＣｏｎｆｉｇ中で設定される異なる測定量を報告し得ることが合意されたが、サービングセル関係測定、たとえば、ＰＣｅｌｌおよびＳＣｅｌｌを実施するために、ＲＳ、またはＵＥをどのように設定すべきかは、３ＧＰＰにおいて説明されなかった。
【００２４】
これらの問題に対処するために、数個の実施形態が本明細書に含まれる。要約された概観として、本明細書の実施形態は、ＮＲにおけるサービングセルの測定の設定に関係すると理解され得る。本明細書の実施形態の特定の例は、ネットワークが、ＵＥを、同じまたは異なる参照信号タイプ（ＲＳタイプ）に基づいて、たとえば、キャリアアグリゲーションの場合、ＰＣｅｌｌおよび設定された（１つまたは複数の）ＳＣｅｌｌに関連するセルレベル測定を実施するように設定し得る方法に関係すると理解され得る。
【００２５】
ＲＳタイプは、ＮＲ−ＰＳＳ、および／またはＮＲ−２次同期信号（ＳＳＳ）など、ＳＳブロック中のＲＳ、ならびに／あるいは、物理ブロードキャストチャネル（ＰＢＣＨ）復調用参照信号（ＤＲＭＳ）または（１つまたは複数の）ＣＳＩ−ＲＳであり得る。
【００２６】
代替手法では、ＵＥは、ＳＣｅｌｌおよびＰＣｅｌｌごとにすべての設定されたＲＳに関係するセルレベル測定を実施し得る。
【００２７】
次に、例が示されている添付の図面を参照しながら、実施形態が以下でより十分に説明される。このセクションでは、本明細書の実施形態は、いくつかの例示的な実施形態によってより詳細に示される。本明細書の例示的な実施形態は相互排他的でないことに留意されたい。一実施形態からの構成要素が、別の実施形態において存在すると暗に仮定され得、それらの構成要素がどのように他の例示的な実施形態において使用され得るかが当業者に明らかであろう。
【００２８】
本開示では本明細書の実施形態を例示するために５Ｇ  ＮＲからの術語が使用されたが、これは、本明細書の実施形態の範囲を上述のシステムのみに限定するものと見なされるべきでないことに留意されたい。同様の特徴をもつ他の無線システムも、本開示内でカバーされるアイデアを活用することから恩恵を受け得る。
【００２９】
図１は、本明細書の実施形態が実装され得る、無線通信システム、セルラー無線システム、またはセルラーネットワークと呼ばれることもある、無線通信ネットワーク１００の、それぞれ図１ａおよび図１ｂにおける、２つの非限定的な例を示す。無線通信ネットワーク１００は、一般に、５Ｇシステム、５Ｇネットワーク、あるいは次世代システムまたはネットワークであり得る。無線通信ネットワーク１００はまた、たとえば、Ｌｏｎｇ−Ｔｅｒｍ  Ｅｖｏｌｕｔｉｏｎ  （ＬＴＥ）、たとえばＬＴＥ周波数分割複信（ＦＤＤ）、ＬＴＥ時分割複信（ＴＤＤ）、ＬＴＥ半二重周波数分割複信（ＨＤ−ＦＤＤ）、未ライセンス帯域中で動作するＬＴＥ、広帯域符号分割多元接続（ＷＣＤＭＡ）、ユニバーサル地上波無線アクセス（ＵＴＲＡ）ＴＤＤ、モバイル通信用グローバルシステム（ＧＳＭ）ネットワーク、ＧＳＭ／ＧＳＭ進化型高速データレート（ＥＤＧＥ）無線アクセスネットワーク（ＧＥＲＡＮ）ネットワーク、ウルトラモバイルブロードバンド（ＵＭＢ）、ＥＤＧＥネットワーク、たとえばマルチスタンダード無線（ＭＳＲ）基地局、マルチＲＡＴ基地局など、無線アクセス技術（ＲＡＴ）の任意の組合せからなるネットワーク、任意の第３世代パートナーシッププロジェクト（３ＧＰＰ）セルラーネットワーク、ＷｉＦｉネットワーク、ワールドワイドインターオペラビリティフォーマイクロウェーブアクセス（ＷｉＭａｘ）、あるいは任意のセルラーネットワークまたはシステムなど、他の技術をサポートし得る。したがって、本開示では本明細書の実施形態を例示するために５Ｇ／ＮＲからの術語が使用され得るが、これは、本明細書の実施形態の範囲を上述のシステムのみに限定するものと見なされるべきでない。無線通信ネットワークはまた、サービングビームを用いて、無線デバイスなど、受信ノードをサービングし得るネットワークノードを備える、非セルラーシステムとして理解され得る。これは、たとえば、５Ｇネットワークでは、一般的な場合であり得る。
【００３０】
無線通信ネットワーク１００は複数のネットワークノードを備え、複数のネットワークノードのうちのネットワークノード１１０が図１の非限定的な例に示されている。図１に示されていない他の例では、ネットワークノード１１０は、クラウドにおける仮想ノードなど、分散ノードであり得、完全にクラウド上で、または部分的に無線ネットワークノードと共同して、ネットワークノード１１０の機能を実施し得る。
【００３１】
ネットワークノード１１０は無線ネットワークノードであり得る。すなわち、無線通信ネットワーク１００中で、ユーザ機器またはマシン型通信デバイスなど、無線デバイスをサービングすることが可能な、無線基地局、たとえばｇＮＢなどの送信ポイント、または同様の特徴をもつ任意の他のネットワークノード。
【００３２】
無線通信ネットワーク１００は、セルエリアに分割され得る地理的エリアをカバーし、各セルエリアはネットワークノードによってサービングされ得るが、１つの無線ネットワークノードは１つまたは数個のセルをサービングし得る。無線通信ネットワーク１００はセルのセットを備える。セルのセットは、第１のセル１２１を備え、いくつかの実施形態では、１つまたは複数の第２のセル１２２をさらに備え得る。図１に示されている非限定的な例では、図を簡略化するために１つの第２のセル１２２のみが示されている。しかしながら、より多くの第２のセルが１つまたは複数の第２のセル１２２中に備えられ得ることを理解されよう。第１のセルは１次セル（ＰＣｅｌｌ）であり得、１つまたは複数の第２のセル１２２の各々は２次セル（ＳＣｅｌｌ）であり得る。図１に示されている非限定的な例では、ネットワークノード１１０は、第１のセル１２１と１つまたは複数の第２のセル１２２とをサービングする無線ネットワークノードである。しかしながら、他の例では、１つまたは複数の第２のセル１２２のいずれかが、無線通信ネットワーク１００中の他のネットワークノードによってサービングされ得る。無線通信ネットワーク１００がセルラーシステムと呼ばれていないことがある例においてでさえ、ネットワークノード１１０が、サービングビームを用いて、無線デバイスなど、受信ノードをサービングし得る場合、ビームのカバレッジエリアは依然としてセルと呼ばれることがある。ネットワークノード１１０は、送信電力およびそれによりセルサイズにも基づいて、たとえば、マクロ基地局、ホーム基地局またはピコ基地局など、異なるクラスのものであり得る。ネットワークノード１１０は、１つまたは数個の通信技術をサポートし得、その名前は、使用される技術および術語に依存し得る。５Ｇ／ＮＲでは、ネットワークノード１１０は、ｇＮＢと呼ばれることがあり、図１に示されていない１つまたは複数のコアネットワークに直接接続され得る。
【００３３】
複数の無線デバイスが無線通信ネットワーク１００中にあり、複数の無線デバイスのうちの無線デバイス１３０が図１の非限定的な例に示されている。無線通信ネットワーク１００中に備えられる無線デバイス１３０は、たとえば、ほんのいくつかのさらなる例を挙げると、無線能力をもつモバイル端末、無線端末および／または移動局、携帯電話、セルラー電話、あるいはラップトップとして知られていることもある、５Ｇ  ＵＥ、またはＵＥなど、無線通信デバイスであり得る。無線通信ネットワーク１００中に備えられる無線デバイスのいずれも、たとえば、ＲＡＮを介して、サーバ、ラップトップ、携帯情報端末（ＰＤＡ）、または無線能力をもつタブレットと呼ばれることがあるタブレットコンピュータなど、別のエンティティと音声および／またはデータを通信することが可能な、ポータブル、ポケット収容可能、ハンドヘルド、コンピュータ具備、または車載型モバイルデバイス、マシンツーマシン（Ｍ２Ｍ）デバイス、プリンタまたはファイルストレージデバイスなど、無線インターフェースを装備したデバイス、モデム、あるいは通信システムにおいて無線リンク上で通信することが可能な任意の他の無線ネットワークユニットであり得る。無線通信ネットワーク１００中に備えられる無線デバイス１３０は、無線通信ネットワーク１００中で無線通信することを可能にされる。通信は、たとえば、無線通信ネットワーク１００内に備えられ得る、ＲＡＮ、および場合によっては１つまたは複数のコアネットワークを介して実施され得る。
【００３４】
無線デバイス１３０は、第１のリンク１４１、たとえば、無線リンク上で第１のセル１２１中でネットワークノード１１０と無線通信ネットワーク１００内で通信するように設定され得る。  無線デバイス１３０は、それぞれの第２のリンク１４２、たとえば、無線リンク上で１つまたは複数の第２のセル１２２の各々中でネットワークノード１１０と無線通信ネットワーク１００内で通信するように設定され得る。
【００３５】
いくつかの実施形態では、無線通信ネットワーク１００は、図１ｂの例に示されているホストコンピュータ１５０に接続され得る。ホストコンピュータ１５０は、スタンドアロンサーバ、クラウド実装サーバ、分散型サーバのハードウェアおよび／またはソフトウェアで、あるいはサーバファーム中の処理リソースとして具現され得る。ホストコンピュータ１５０は、サービスプロバイダの所有または制御下にあり得るか、あるいはサービスプロバイダによってまたはサービスプロバイダの代わりに動作され得る。ホストコンピュータ１５０は、第３のリンク１６０を介して無線デバイス１３０と通信し得る。第３のリンク１６０は、１つまたは複数の有線および無線リンクを備え、たとえば、クラウド１７０、ネットワークノード１１０、および無線通信ネットワーク中の他のネットワークノードまたはコアネットワークノードを介して拡張し得る。いくつかの例では、第３のリンク１６０は、図を簡略化するために図１に示されていない随意の中間ネットワークを介して拡張し得る。中間ネットワークは、パブリックネットワーク、プライベートネットワーク、またはホストされたネットワークのうちの１つ、またはそれらのうちの２つ以上の組合せであり得、中間ネットワークは、バックボーンネットワークまたはインターネットであり得る。第３のリンク１６０によって提供されるコネクティビティは、オーバーザトップ（ＯＴＴ）接続と呼ばれることがある。
【００３６】
ホストコンピュータ１５０と、ネットワークノード１１０と、無線デバイス１３０とを備えるシステムは、本明細書では電気通信システム１８０と呼ばれることがある。
【００３７】
概して、本明細書での「第１の」、「第２の」、「第３の」、「第４の」、「第５の」および／または「第６の」の使用は、異なるエレメントまたはエンティティを示すための任意のやり方であると理解され得、それらが修飾する名詞に累積的なまたは時間順の性質を与えないと理解され得る。
【００３８】
術語
本明細書で使用される「無線測定」という用語は、無線信号に対して実施される測定を指し得る。無線測定は、絶対または相対であり得る。無線測定は信号レベルと呼ばれることがあり、信号レベルは信号品質および／または信号強度であり得る。無線測定は、たとえば、周波数内測定、周波数間測定、ＲＡＴ間測定、キャリアアグリゲーション（ＣＡ）測定などであり得る。無線測定は、単方向、たとえば、ＤＬまたはＵＬ、あるいは、双方向、たとえば、ラウンドトリップ時間（ＲＴＴ）、受信−送信（Ｒｘ−Ｔｘ）などであり得る。無線測定のいくつかの例は、たとえば、到達時間（ＴＯＡ）、タイミングアドバンス、ＲＴＴ、参照信号時間差（ＲＳＴＤ）、Ｒｘ−Ｔｘ、伝搬遅延など、タイミング測定、たとえば、到来角など、角度測定、たとえば、受信信号電力、ＲＳＲＰ、受信信号品質、ＲＳＲＱ、ＳＩＮＲ、信号対雑音比（ＳＮＲ）、干渉電力、総干渉プラス雑音、受信信号強度インジケータ（ＲＳＳＩ）、雑音電力など、電力ベース測定、セル検出またはセル識別、無線リンク監視（ＲＬＭ）、システム情報（ＳＩ）読取りなどであり得る。周波数間測定およびＲＡＴ間測定は、ＵＥがギャップなしにそのような測定を行うことが可能であり得ない限り、測定ギャップにおいてＵＥによって行われ得る。測定ギャップの例は、６ｍｓの各ギャップが４０ｍｓごとに起こる、測定ギャップｉｄ＃０、６ｍｓの各ギャップが８０ｍｓごとに起こる、測定ギャップｉｄ＃１などである。測定ギャップは、ネットワークノードによってＵＥにおいて設定され得る。
【００３９】
セル上で測定を実施することは、セルの信号に対して測定を実施することを暗示し得る。セル固有測定の例は、信号強度、信号品質などであり得る。
【００４０】
次に、無線デバイス１３０によって実施される方法の実施形態が、図２に示されているフローチャートを参照しながら説明される。本方法は、少なくとも第１のセル１２１を備えるセルのセット上での無線デバイス１３０による測定をハンドリングするためのものである。セット中のセルはサービングセルであると理解され得る。
【００４１】
いくつかの実施形態では、セルのセットは、１つまたは複数の第２のセル１２２をさらに備え得る。これらの実施形態のうちのいくつかでは、第１のセル１２１は１次セル（ＰＣｅｌｌ）であり得、１つまたは複数の第２のセル１２２は２次セル（ＳＣｅｌｌ）であり得る。
【００４２】
無線デバイス１３０は無線通信ネットワーク１００中で動作する。
【００４３】
いくつかの実施形態では、すべてのアクションが実施され得る。いくつかの実施形態では、アクションは随意であり得る。本明細書の例は相互排他的でないことに留意されたい。１つまたは複数の実施形態は、適用可能な場合に、組み合わせられ得る。一実施形態からの構成要素が、別の実施形態において存在すると暗に仮定され得、それらの構成要素がどのように他の例示的な実施形態において使用され得るかが当業者に明らかであろう。説明を簡略化するために、すべての可能な組合せが説明されるとは限らない。図２では、随意のアクションは破線で指示される。いくつかのアクションは、図２に示されている順序とは異なる順序で実施され得る。
【００４４】
アクション２０１
無線通信ネットワーク１００中での無線デバイス１３０の動作の過程において、無線デバイス１３０は、たとえば、無線デバイス１３０の現在の位置に鑑みて、無線デバイス１３０が最も強い信号強度を用いてサービングするセルにキャンプオンしていることを確実にするために、周囲無線環境を監視し得る。上述のように、ＮＲでは、セル測定結果は、異なるＲＳタイプに基づいて算出され得る。ＮＲでは、そのセル測定結果が、（１つまたは複数の）ＳＳブロックベース参照信号（たとえばＮＲ−ＳＳＳ）に基づいて実施されるようにネットワークによって設定されるか、またはＣＳＩ−ＲＳに基づいて実施されるようにネットワークによって設定されるかのいずれかであり得ることが合意された。
【００４５】
前の合意に基づいて、Ａ１、Ａ２など、異なるイベントが、（１つまたは複数の）異なるＲＳタイプを伴って設定され得る。したがって、たとえば、いくつかのイベントはＣＳＩ−ＲＳに基づいて設定され得、他のイベントは（１つまたは複数の）ＳＳブロック信号に基づいて設定され得る。別の例では、同じイベントタイプ、たとえば、Ａ１は、同じ測定対象にリンクされ得るが、異なる測定ＩＤのため、一方はＳＳベースのために設定され、他方はＣＳＩ−ＲＳのために設定され得る。
【００４６】
無線デバイス１３０が、可能なＲＳタイプのうちのどのＲＳに対してサービングセル関係測定を実施すべきかを決定することを可能にするために、このアクション２０１において、無線デバイス１３０は、ネットワークノード１１０から第１の指示を取得し得る。いくつかの特定の例では、無線デバイス１３０は５Ｇ  ＵＥであり得、ネットワークノード１１０はｇＮＢであり得る。
【００４７】
取得することは、たとえば、受信することとして理解され得る。このアクション２０１における受信することは、たとえば、第１のリンク１４１を介して実装され得る。
【００４８】
取得された設定は、１つまたは複数のイベントの、設定されたイベントごとに、取得され得る。１つまたは複数のイベントの各々は、測定リポートをトリガするための条件をセットすると理解され得る。１つまたは複数のイベントは、たとえば、Ａ１、Ａ２、Ａ３、Ａ４などであり得る。
第１の指示は設定を備え得る。第１の指示は、たとえば、ＭｅａｓＣｏｎｆｉｇ中の情報エレメントであり得る。
【００４９】
いくつかの実施形態では、取得された設定はｒｅｐｏｒｔＣｏｎｆｉｇであり得る。
【００５０】
１つまたは複数のイベントのうちの少なくとも１つが、測定対象にリンクされた少なくとも１つのｒｅｐｏｒｔＣｏｎｆｉｇ中で設定され得、ｒｅｐｏｒｔＣｏｎｆｉｇ内のその参照信号（ＲＳ）タイプが、セルのセット中の各セルについて測定を実施すべき１つの信号タイプにセットされる。
【００５１】
信号タイプは、ＮＲ−ＰＳＳおよび／またはＮＲ−ＳＳＳなど、ＳＳブロック中のＲＳ、ならびに／あるいは、ＰＢＣＨ  ＤＲＭＳ、またはＣＳＩ−ＲＳを備え得る。
【００５２】
アクション２０２
このアクション２０２において、無線デバイス１３０は、セルのセット中の各セルについて測定を実施すべき１つまたは複数の信号タイプを決定する。決定は、１つまたは複数のイベントの、設定されたイベントごとの、取得された設定に基づく。すなわち、アクション２０１において取得された設定。前述のように、１つまたは複数のイベントの各々は、測定リポートをトリガするための条件をセットする。１つまたは複数のイベントのうちの少なくとも１つが、測定対象にリンクされた少なくとも１つのｒｅｐｏｒｔＣｏｎｆｉｇ中で設定され、ｒｅｐｏｒｔＣｏｎｆｉｇ内のそのＲＳタイプが１つまたは複数の信号タイプのうちの１つの信号タイプにセットされる。無線デバイス１３０は、少なくとも、セットされる１つの信号タイプに対して測定を実施することを決定する。
【００５３】
いくつかの実施形態では、取得された設定はｒｅｐｏｒｔＣｏｎｆｉｇであり得、ｒｅｐｏｒｔＣｏｎｆｉｇはこのアクション２０２における決定のために使用される。
【００５４】
設定中の１つまたは複数の信号タイプは、１つまたは複数の信号タイプの第１のグループとして理解され得る。
【００５５】
決定された１つまたは信号複数のタイプは、１つまたは複数の信号タイプの第２のグループとして理解され得る。
【００５６】
いくつかの実施形態では、１つまたは複数のイベントのうちの少なくとも１つがＡ１であり、イベントＡ１が設定され、第１のセル１２１に関連する測定対象にリンクされる。いくつかの実施形態では、１つまたは複数のイベントのうちの少なくとも１つがＡ２であり、イベントＡ２が設定され、第１のセル１２１に関連する測定対象にリンクされる。
【００５７】
いくつかの第１の実施形態では、１つまたは複数のイベントのうちの少なくとも１つがＡ１およびＡ２のうちの１つであり、以下の２つのオプションのうちの１つが適用され得る。
【００５８】
第１のオプションでは、測定対象は、第１のセル１２１に関連し、少なくとも１つのｒｅｐｏｒｔＣｏｎｆｉｇにリンクされ、そのＲＳタイプがＳＳにセットされる。そのような第１のオプションに従って、無線デバイス１３０は、ＳＳに基づく第１のセル１２１測定を実施する。すなわち、無線デバイス１３０は、ＳＳに基づく第１のセル１２１測定を実施することをこのアクション２０２において決定し得る。
【００５９】
第２のオプションでは、測定対象は、第１のセル１２１に関連し、少なくとも１つのｒｅｐｏｒｔＣｏｎｆｉｇにリンクされ、そのＲＳタイプがＣＳＩ−ＲＳにセットされる。そのような第２のオプションに従って、無線デバイス１３０は、ＣＳＩ−ＲＳに基づく第１のセル１２１測定を実施する。すなわち、無線デバイス１３０は、ＣＳＩ−ＲＳに基づく第１のセル１２１測定を実施することをこのアクション２０２において決定し得る。
【００６０】
いくつかの実施形態では、１つまたは複数のイベントのうちの少なくとも１つがＡ３であり、以下の２つのオプションのうちの１つが適用され得る。
【００６１】
第１のオプションでは、Ａ３イベントは、測定対象にリンクされた少なくとも１つのｒｅｐｏｒｔＣｏｎｆｉｇ中で設定され、そのＲＳタイプがＳＳにセットされる。そのような第１のオプションに従って、無線デバイス１３０は、少なくともＳＳに基づく第１のセル１２１測定を実施する。すなわち、無線デバイス１３０は、ＳＳに基づく第１のセル１２１測定を実施することをこのアクション２０２において決定し得る。
【００６２】
第２のオプションでは、Ａ３イベントは、測定対象にリンクされた少なくとも１つのｒｅｐｏｒｔＣｏｎｆｉｇ中で設定され、そのＲＳタイプがＣＳＩ−ＲＳにセットされる。そのような第２のオプションに従って、無線デバイス１３０は、少なくともＣＳＩ−ＲＳに基づく第１のセル１２１測定を実施する。すなわち、無線デバイス１３０は、ＳＳに基づく第１のセル１２１測定を実施することをこのアクション２０２において決定し得る。
【００６３】
いくつかの実施形態では、１つまたは複数のイベントのうちの少なくとも１つがＡ４であり、以下の４つのオプションのうちの少なくとも１つが適用され得る。
【００６４】
第１のオプションでは、Ａ４イベントは、測定対象にリンクされた少なくとも１つのｒｅｐｏｒｔＣｏｎｆｉｇ中で設定され、そのＲＳタイプがＳＳにセットされる。そのような第１のオプションに従って、無線デバイス１３０は、ＳＳに基づく第１のセル１２１測定を実施する。すなわち、無線デバイス１３０は、ＳＳに基づく第１のセル１２１測定を実施することをこのアクション２０２において決定し得る。
【００６５】
第２のオプションでは、Ａ４イベントは、測定対象にリンクされた少なくとも１つのｒｅｐｏｒｔＣｏｎｆｉｇ中で設定され、そのＲＳタイプがＣＳＩ−ＲＳにセットされる。そのような第２のオプションに従って、無線デバイス１３０は、ＣＳＩ−ＲＳに基づく第１のセル１２１測定を実施する。すなわち、無線デバイス１３０は、ＣＳＩ−ＲＳに基づく第１のセル１２１測定を実施することをこのアクション２０２において決定し得る。
【００６６】
第３のオプションでは、Ａ４イベントは、測定対象にリンクされた少なくとも１つのｒｅｐｏｒｔＣｏｎｆｉｇ中で設定され、そのＲＳタイプがＣＳＩ−ＲＳにセットされ、ＣＳＩ−ＲＳが無線デバイス１３０のために設定されない。そのような第３のオプションに従って、無線デバイス１３０は、ＳＳに基づく第１のセル１２１測定を実施する。すなわち、無線デバイス１３０は、ＳＳに基づく第１のセル１２１測定を実施することをこのアクション２０２において決定し得る。
【００６７】
第４のオプションでは、Ａ４イベントは、測定対象にリンクされた少なくとも１つのｒｅｐｏｒｔＣｏｎｆｉｇ中で設定され、そのＲＳタイプがＣＳＩ−ＲＳにセットされ、ＣＳＩ−ＲＳが第１のセル１２１のために設定されない。そのような第４のオプションに従って、無線デバイス１３０は、第１のセル１２１のセルレベル測定に関係する失敗をネットワークに通知し得る。
【００６８】
いくつかの実施形態では、１つまたは複数のイベントのうちの少なくとも１つがＡ５であり、以下の２つのオプションのうちの１つが適用され得る。
【００６９】
第１のオプションでは、Ａ５イベントは、測定対象にリンクされた少なくとも１つのｒｅｐｏｒｔＣｏｎｆｉｇ中で設定され、そのＲＳタイプがＳＳにセットされる。そのような第１のオプションに従って、無線デバイス１３０は、ＳＳに基づく第１のセル１２１測定を実施する。すなわち、無線デバイス１３０は、ＳＳに基づく第１のセル１２１測定を実施することをこのアクション２０２において決定し得る。
【００７０】
第２のオプションでは、Ａ５イベントは、測定対象にリンクされた少なくとも１つのｒｅｐｏｒｔＣｏｎｆｉｇ中で設定され、そのＲＳタイプがＣＳＩ−ＲＳにセットされる。そのような第２のオプションに従って、無線デバイス１３０は、ＣＳＩ−ＲＳに基づく第１のセル１２１測定を実施する。すなわち、無線デバイス１３０は、ＣＳＩ−ＲＳに基づく第１のセル１２１測定を実施することをこのアクション２０２において決定し得る。
【００７１】
いくつかの実施形態では、１つまたは複数のイベントのうちの少なくとも１つがＡ６であり、以下の２つのオプションのうちの少なくとも１つが適用され得る。
【００７２】
第１のオプションでは、Ａ６イベントは、測定対象にリンクされた少なくとも１つのｒｅｐｏｒｔＣｏｎｆｉｇ中で設定され、そのＲＳタイプがＳＳにセットされる。そのような第１のオプションに従って、無線デバイス１３０は、ＳＳに基づく１つまたは複数の第２のセル１２２測定を、設定された１つまたは複数の第２のセル１２２にリンクされた測定対象に関連する周波数に関連する少なくとも１つまたは複数の第２のセル１２２について実施する。すなわち、無線デバイス１３０は、ＳＳに基づく、１つまたは複数の第２のセル１２２上での測定を実施することをこのアクション２０２において決定し得る。
【００７３】
第２のオプションでは、Ａ６イベントは、測定対象にリンクされた少なくとも１つのｒｅｐｏｒｔＣｏｎｆｉｇ中で設定され、そのＲＳタイプがＣＳＩ−ＲＳにセットされる。そのような第２のオプションに従って、無線デバイス１３０は、ＣＳＩ−ＲＳに基づく１つまたは複数の第２のセル１２２測定を、設定された１つまたは複数の第２のセル１２２にリンクされた測定対象に関連する周波数に関連する少なくとも１つまたは複数の第２のセル１２２について実施する。すなわち、無線デバイス１３０は、ＣＳＩ−ＲＳに基づく、１つまたは複数の第２のセル１２２上での測定を実施することをこのアクション２０２において決定し得る。
【００７４】
アクション２０３
無線デバイス１３０がアクション２０２に従って行われた決定に従って測定を実施していることがあると、このアクション２０３において、無線デバイス１３０は、無線デバイス１３０をサービングするネットワークノード１１０に指示を送ることを始動する。指示は、決定された１つまたは複数の信号タイプに対する無線デバイス１３０による測定に基づく。いくつかの実施形態では、指示は、第２の指示と呼ばれることがある。
【００７５】
指示は、たとえば、たとえばｍｅａｓＲｅｓｕｌｔｓ中に備えられ得る。
【００７６】
いくつかの実施形態では、指示は、決定された１つまたは複数の信号タイプに基づくセルレベル情報をさらに備え得る。
【００７７】
上記の説明では、ビームレベル情報を含むことが説明されていないことにも留意されたい。ビームレベル情報は、たとえば、ＳＳＢインデックス、ＳＳＢ−ＲＳＲＰ、ＳＳＢ−ＲＳＲＱ、ＳＳＢ−ＳＩＮＲ、ＣＳＩ−ＲＳインデックス、ＣＳＩ−ＲＳＲＰ、ＣＳＩ−ＲＳＲＱ、またはＣＳＩ−ＳＩＮＲなど、ビームレベル報告を指すと理解され得る。しかしながら、ビームレベル情報が、たとえば、ｉｎｃｌｕｄｅＢｅａｍＲｅｐｏｒｔを介して、測定リポート中に含まれるように設定される場合、無線デバイス１３０は、同じく測定リポート中に、ＰＣｅｌｌおよびＳＣｅｌｌのｒｓＴｙｐｅに基づくビームレベル情報を含め得る。したがって、指示は、決定された１つまたは複数の信号タイプに基づくビームレベル情報をさらに備え得る。これは、取得された設定に基づき得る。
【００７８】
いくつかの実施形態では、指示は、１つまたは複数のイベントのうちの少なくとも１つのどのイベントが設定され得るかと、どんなＲＳタイプが設定され得るかとにさらに基づき得る。
【００７９】
次に、ネットワークノード１１０によって実施される方法の実施形態が、図３に示されているフローチャートを参照しながら説明される。本方法は、少なくとも第１のセル１２１を備えるセルのセット上での無線デバイス１３０による測定をハンドリングするためのものである。セット中のセルはサービングセルであると理解され得る。
【００８０】
無線デバイス１３０は無線通信ネットワーク１００中で動作する。
【００８１】
いくつかの実施形態では、すべてのアクションが実施され得る。いくつかの実施形態では、アクションは随意であり得る。本明細書の例は相互排他的でないことに留意されたい。１つまたは複数の実施形態は、適用可能な場合に、組み合わせられ得る。一実施形態からの構成要素が、別の実施形態において存在すると暗に仮定され得、それらの構成要素がどのように他の例示的な実施形態において使用され得るかが当業者に明らかであろう。説明を簡略化するために、すべての可能な組合せが説明されるとは限らない。
【００８２】
以下のうちのいくつかの詳細な説明は、無線デバイス１３０について説明されたアクションに関して、上記で提供された同じ言及に対応し、したがって、説明を簡略化するためにここでは繰り返されない。たとえば、情報は、たとえば、いくつかの実施形態では、セルのセットが１つまたは複数の第２のセル１２２をさらに備え得るなど、測位情報であり得る。これらの実施形態のうちのいくつかでは、第１のセル１２１は１次セル（ＰＣｅｌｌ）であり得、１つまたは複数の第２のセル１２２は２次セル（ＳＣｅｌｌ）であり得る。
【００８３】
アクション３０１
このアクション３０１において、ネットワークノード１１０は、無線デバイス１３０に第１の指示を提供する。第１の指示は、１つまたは複数のイベントの、設定されたイベントごとの、設定を備える。１つまたは複数のイベントの各々は、測定リポートをトリガするための条件をセットする。１つまたは複数のイベントのうちの少なくとも１つが、測定対象にリンクされた少なくとも１つのｒｅｐｏｒｔＣｏｎｆｉｇ中で設定され、ｒｅｐｏｒｔＣｏｎｆｉｇ内のそのＲＳタイプが、測定を実施すべき、１つまたは複数の信号タイプのうちの１つの信号タイプにセットされる。
【００８４】
提供することは、たとえば、送ることとして理解され得る。このアクション３０１における送ることは、たとえば、第１のリンク１４１を介して実装され得る。
【００８５】
第１の指示は、たとえば、ＭｅａｓＣｏｎｆｉｇ中の情報エレメントであり得る。いくつかの実施形態では、提供された設定はｒｅｐｏｒｔＣｏｎｆｉｇであり得る。
【００８６】
１つまたは複数の信号タイプは、ＮＲ−ＰＳＳおよび／またはＮＲ−ＳＳＳなど、ＳＳブロック中のＲＳ、ならびに／あるいは、ＰＢＣＨ  ＤＲＭＳ、またはＣＳＩ−ＲＳを備え得る。
【００８７】
第１の指示中に備えられ得る設定は、前のアクション２０２に関してすでに説明されており、次のアクション３０２に関して、再び説明される。
【００８８】
アクション３０２
このアクション３０２において、ネットワークノード１１０は、提供された第１の指示に基づいて、無線デバイス１３０から第２の指示を取得する。第２の指示は、少なくとも、ｒｅｐｏｒｔＣｏｎｆｉｇ内でセットされる１つの信号タイプに対する、無線デバイス１３０による測定に基づく。
【００８９】
指示は、たとえば、たとえばｍｅａｓＲｅｓｕｌｔｓ中に備えられ得る。
【００９０】
いくつかの実施形態では、第２の指示は、１つまたは複数のイベントのうちの少なくとも１つのどのイベントが設定され得るかと、どんなＲＳタイプが設定され得るかとにさらに基づき得る。
【００９１】
いくつかの実施形態では、１つまたは複数のイベントのうちの少なくとも１つがＡ１であり、イベントＡ１が設定され、第１のセル１２１に関連する測定対象にリンクされる。いくつかの実施形態では、１つまたは複数のイベントのうちの少なくとも１つがＡ２であり、イベントＡ２が設定され、第１のセル１２１に関連する測定対象にリンクされる。
【００９２】
いくつかの第１の実施形態では、１つまたは複数のイベントのうちの少なくとも１つがＡ１およびＡ２のうちの１つであり、以下の２つのオプションのうちの１つが適用され得る。
【００９３】
第１のオプションでは、測定対象は、第１のセル１２１に関連し、少なくとも１つのｒｅｐｏｒｔＣｏｎｆｉｇにリンクされ、そのＲＳタイプがＳＳにセットされる。そのような第１のオプションに従って、第２の指示は、ＳＳに基づく、無線デバイス１３０によって実施される第１のセル１２１測定に基づく。
【００９４】
第２のオプションでは、測定対象は、第１のセル１２１に関連し、少なくとも１つのｒｅｐｏｒｔＣｏｎｆｉｇにリンクされ、そのＲＳタイプがＣＳＩ−ＲＳにセットされる。そのような第２のオプションに従って、第２の指示は、ＣＳＩ−ＲＳに基づく、無線デバイス１３０によって実施される第１のセル１２１測定に基づく。
【００９５】
いくつかの実施形態では、１つまたは複数のイベントのうちの少なくとも１つがＡ３であり、以下の２つのオプションのうちの１つが適用され得る。
【００９６】
第１のオプションでは、Ａ３イベントは、測定対象にリンクされた少なくとも１つのｒｅｐｏｒｔＣｏｎｆｉｇ中で設定され、そのＲＳタイプがＳＳにセットされる。そのような第１のオプションに従って、第２の指示は、少なくともＳＳに基づく、無線デバイス１３０によって実施される第１のセル１２１測定に基づく。
【００９７】
第２のオプションでは、Ａ３イベントは、測定対象にリンクされた少なくとも１つのｒｅｐｏｒｔＣｏｎｆｉｇ中で設定され、そのＲＳタイプがＣＳＩ−ＲＳにセットされる。そのような第２のオプションに従って、第２の指示は、少なくともＣＳＩ−ＲＳに基づく、無線デバイス１３０によって実施される第１のセル１２１測定に基づく。
【００９８】
いくつかの実施形態では、１つまたは複数のイベントのうちの少なくとも１つがＡ４であり、以下の４つのオプションのうちの少なくとも１つが適用され得る。
【００９９】
第１のオプションでは、Ａ４イベントは、測定対象にリンクされた少なくとも１つのｒｅｐｏｒｔＣｏｎｆｉｇ中で設定され、そのＲＳタイプがＳＳにセットされる。そのような第１のオプションに従って、第２の指示は、ＳＳに基づく、無線デバイス１３０によって実施される第１のセル１２１測定に基づく。
【０１００】
第２のオプションでは、Ａ４イベントは、測定対象にリンクされた少なくとも１つのｒｅｐｏｒｔＣｏｎｆｉｇ中で設定され、そのＲＳタイプがＣＳＩ−ＲＳにセットされる。そのような第２のオプションに従って、第２の指示は、ＣＳＩ−ＲＳに基づく、無線デバイス１３０によって実施される第１のセル１２１測定に基づく。
【０１０１】
第３のオプションでは、Ａ４イベントは、測定対象にリンクされた少なくとも１つのｒｅｐｏｒｔＣｏｎｆｉｇ中で設定され、そのＲＳタイプがＣＳＩ−ＲＳにセットされ、ＣＳＩ−ＲＳが無線デバイス１３０のために設定されない。そのような第３のオプションに従って、第２の指示は、ＳＳに基づく第１のセル１２１測定に基づく。
【０１０２】
第４のオプションでは、Ａ４イベントは、測定対象にリンクされた少なくとも１つのｒｅｐｏｒｔＣｏｎｆｉｇ中で設定され、そのＲＳタイプがＣＳＩ−ＲＳにセットされ、ＣＳＩ−ＲＳが第１のセル１２１のために設定されない。そのような第４のオプションに従って、ネットワークノード１１０は、無線デバイス１３０から通知を受信し、通知は第１のセル１２１のセルレベル測定に関係する失敗を通知する。
【０１０３】
いくつかの実施形態では、１つまたは複数のイベントのうちの少なくとも１つがＡ５であり、以下の２つのオプションのうちの１つが適用され得る。
【０１０４】
第１のオプションでは、Ａ５イベントは、測定対象にリンクされた少なくとも１つのｒｅｐｏｒｔＣｏｎｆｉｇ中で設定され、そのＲＳタイプがＳＳにセットされる。そのような第１のオプションに従って、第２の指示は、ＳＳに基づく、無線デバイス１３０によって実施される第１のセル１２１測定に基づく。
【０１０５】
第２のオプションでは、Ａ５イベントは、測定対象にリンクされた少なくとも１つのｒｅｐｏｒｔＣｏｎｆｉｇ中で設定され、そのＲＳタイプがＣＳＩ−ＲＳにセットされる。そのような第２のオプションに従って、第２の指示は、ＣＳＩ−ＲＳに基づく、無線デバイス１３０によって実施される第１のセル１２１測定に基づく。
【０１０６】
いくつかの実施形態では、１つまたは複数のイベントのうちの少なくとも１つがＡ６であり、以下の２つのオプションのうちの少なくとも１つが適用され得る。
【０１０７】
第１のオプションでは、Ａ６イベントは、測定対象にリンクされた少なくとも１つのｒｅｐｏｒｔＣｏｎｆｉｇ中で設定され、そのＲＳタイプがＳＳにセットされる。そのような第１のオプションに従って、第２の指示は、ＳＳに基づく、１つまたは複数の第２のセル１２２上での無線デバイス１３０によって実施される、設定された１つまたは複数の第２のセル１２２にリンクされた測定対象に関連する周波数に関連する少なくとも１つまたは複数の第２のセル１２２についての、測定に基づく。
【０１０８】
第２のオプションでは、Ａ６イベントは、測定対象にリンクされた少なくとも１つのｒｅｐｏｒｔＣｏｎｆｉｇ中で設定され、そのＲＳタイプがＣＳＩ−ＲＳにセットされる。そのような第２のオプションに従って、第２の指示は、ＣＳＩ−ＲＳに基づく、１つまたは複数の第２のセル１２２上での無線デバイス１３０によって実施される、設定された１つまたは複数の第２のセル１２２にリンクされた測定対象に関連する周波数に関連する少なくとも１つまたは複数の第２のセル１２２についての、測定に基づく。
【０１０９】
いくつかの実施形態では、第２の指示は、提供された第１の指示に基づくセルレベル情報をさらに備え得る。
【０１１０】
いくつかの実施形態では、第２の指示は、提供された第１の指示に基づくビームレベル情報をさらに備え得る。
【０１１１】
本明細書の例の例示的なシナリオが、図４に示されている。ネットワークノード１１０は、２つの異なる第２のセル１２２を伴って無線デバイス１３０を設定し得、２つの異なる第２のセル１２２は、２次セル（ＳＣｅｌｌ）、すなわち、１２２−１として図において言及されているＳＣｅｌｌ−１、および１２２−２として図において言及されているＳＣｅｌｌ−２である。ネットワークノード１１０は、ＳＣｅｌｌに対応する、および第１のセル１２１のためのＣＳＩ−ＲＳをも設定し得、第１のセル１２１は、この例ではＰＣｅｌｌである。
【０１１２】
どのＲＳに対して測定を実施すべきかを決定するために、本明細書の実施形態が、次に、いくつかの非限定的な例を用いて説明される。以下の説明では、ＰＣｅｌｌへの言及は第１のセル１２１に関係すると理解され得、ＳＣｅｌｌへの言及は１つまたは複数の第２のセル１２２に関係すると理解され得る。
【０１１３】
この例では、無線デバイス１３０、たとえば、ＵＥは、アクション２０２において説明されたように、設定されたイベントごとに提供された設定に基づいて、ＰＣｅｌｌ測定結果のために使用されるべきＲＳタイプを導出し得る。この例の説明ではＰＣｅｌｌが使用されるが、同じことが、同様にＳＣｅｌｌについて当てはまると理解され得る。
【０１１４】
イベントＡ１が設定された、すなわち、サービングセルがしきい値よりも良好になった、および所与の測定識別子（ｉｄ）によってＰＣｅｌｌに関連する測定対象にリンクされた場合、イベントＡ１は、ＰＣｅｌｌ測定結果、たとえば、同じくｒｅｐｏｒｔＣｏｎｆｉｇ中で、ｔｒｉｇｇｅｒＱｕａｎｔｉｔｙがＲＳＲＰにセットされた場合はＲＳＲＰが、しきい値よりも良好になった場合、トリガされ得る。または、イベントＡ２が設定された、すなわち、サービングセルがしきい値よりも悪くなった、および所与の測定ｉｄによってＰＣｅｌｌに関連する測定対象にリンクされた場合、イベントＡ２は、ＰＣｅｌｌ測定結果、たとえば、同じくｒｅｐｏｒｔＣｏｎｆｉｇ中で、ｔｒｉｇｇｅｒＱｕａｎｔｉｔｙがＲＳＲＰにセットされた場合はＲＳＲＰが、しきい値よりも悪くなった場合、トリガされ得る。Ａ１またはＡ２のいずれかついて、以下が適用され得る。
−  ＰＣｅｌｌに関連する測定対象、たとえば、キャリア周波数が、少なくとも１つのｒｅｐｏｒｔＣｏｎｆｉｇにリンクされ、そのＲＳタイプがＳＳにセットされた場合、無線デバイス１３０は、ＳＳに基づくＰＣｅｌｌ測定を実施し得る。すなわち、無線デバイス１３０は、アクション２０２において、ＳＳに基づくＰＣｅｌｌ測定を実施することを決定し、次いで、それに応じて測定を実施し得る。
−  ＰＣｅｌｌに関連する測定対象、たとえば、キャリア周波数が、少なくとも１つのｒｅｐｏｒｔＣｏｎｆｉｇにリンクされ、そのＲＳタイプがＣＳＩ−ＲＳにセットされた場合、無線デバイス１３０は、ＣＳＩ−ＲＳに基づくＰＣｅｌｌ測定を実施し得る。すなわち、無線デバイス１３０は、アクション２０２において、ＣＳＩ−ＲＳに基づくＰＣｅｌｌ測定を実施することを決定し、次いで、それに応じて測定を実施し得る。
【０１１５】
イベントＡ３が設定された、すなわち、ネイバーがＰＣｅｌｌ／ＰＳＣｅｌｌよりもオフセットの分量だけ良好になった、および所与の測定ｉｄによって測定対象、たとえば、ＭＯ−ｎにリンクされた場合、イベントＡ３は、任意のネイバーセル測定結果、たとえば、同じくｒｅｐｏｒｔＣｏｎｆｉｇ中で、ｔｒｉｇｇｅｒＱｕａｎｔｉｔｙがＲＳＲＰにセットされた場合はＲＳＲＰが、ＰＣｅｌｌ／ＰＳＣｅｌｌよりもオフセットの分量だけ良好になった場合、トリガされ得る。Ａ３について、以下が適用され得る。
−  測定対象にリンクされた少なくとも１つのｒｅｐｏｒｔＣｏｎｆｉｇ中で設定された少なくとも１つのＡ３イベントがあり、そのＲＳタイプがＳＳにセットされた場合、無線デバイス１３０は、少なくともＳＳに基づくＰＣｅｌｌ測定を実施し得る。すなわち、無線デバイス１３０は、アクション２０２において、ＳＳに基づくＰＣｅｌｌ測定を実施することを決定し、次いで、それに応じて測定を実施し得る。
−  測定対象にリンクされた少なくとも１つのｒｅｐｏｒｔＣｏｎｆｉｇ中で設定された少なくとも１つのＡ３イベントがあり、そのＲＳタイプがＣＳＩ−ＲＳにセットされた場合、無線デバイス１３０は、少なくともＣＳＩ−ＲＳに基づくＰＣｅｌｌ測定を実施し得る。すなわち、無線デバイス１３０は、アクション２０２において、ＣＳＩ−ＲＳに基づくＰＣｅｌｌ測定を実施することを決定し、次いで、それに応じて測定を実施し得る。
【０１１６】
イベントＡ４が設定された、すなわち、ネイバーが絶対しきい値よりも良好になった、および所与の測定ｉｄによって測定対象、たとえば、ＭＯ−ｎにリンクされた場合、イベントＡ４は、任意のネイバーセル測定結果、たとえば、同じくｒｅｐｏｒｔＣｏｎｆｉｇ中で、ｔｒｉｇｇｅｒＱｕａｎｔｉｔｙがＲＳＲＰにセットされた場合はＲＳＲＰが、絶対しきい値よりも良好になった場合、トリガされ得る。Ａ４について、以下が適用され得る。
−  測定対象にリンクされた少なくとも１つのｒｅｐｏｒｔＣｏｎｆｉｇ中で設定された少なくとも１つのＡ４イベントがあり、そのＲＳタイプがＳＳにセットされた場合、無線デバイス１３０は、ＰＣｅｌｌ測定を実施することを必要とされないことがある。
−  測定対象にリンクされた少なくとも１つのｒｅｐｏｒｔＣｏｎｆｉｇ中で設定された少なくとも１つのＡ４イベントがあり、そのＲＳタイプがＳＳにセットされた場合、無線デバイス１３０は、ＳＳに基づくＰＣｅｌｌ測定結果を実施し得る。すなわち、無線デバイス１３０は、アクション２０２において、ＳＳに基づくＰＣｅｌｌ測定を実施することを決定し、次いで、それに応じて測定を実施し得る。
−  測定対象にリンクされた少なくとも１つのｒｅｐｏｒｔＣｏｎｆｉｇ中で設定された少なくとも１つのＡ４イベントがあり、そのＲＳタイプがＣＳＩ−ＲＳにセットされた場合、無線デバイス１３０は、ＣＳＩ−ＲＳに基づくＰＣｅｌｌ測定結果を実施し得る。すなわち、無線デバイス１３０は、アクション２０２において、ＣＳＩ−ＲＳに基づくＰＣｅｌｌ測定を実施することを決定し、次いで、それに応じて測定を実施し得る。
−  測定対象にリンクされた少なくとも１つのｒｅｐｏｒｔＣｏｎｆｉｇ中で設定された少なくとも１つのＡ４イベントがあり、そのＲＳタイプがＣＳＩ−ＲＳにセットされた場合、およびＣＳＩ−ＲＳがＰＣｅｌｌのために設定されない場合、無線デバイス１３０は、ＳＳに基づくＰＣｅｌｌ測定結果を実施し得る。すなわち、無線デバイス１３０は、アクション２０２において、ＳＳに基づくＰＣｅｌｌ測定を実施することを決定し、次いで、それに応じて測定を実施し得る。
−  測定対象にリンクされた少なくとも１つのｒｅｐｏｒｔＣｏｎｆｉｇ中で設定された少なくとも１つのＡ４イベントがあり、そのＲＳタイプがＣＳＩ−ＲＳにセットされた場合、およびＣＳＩ−ＲＳがＰＣｅｌｌのために設定されない場合、無線デバイス１３０は、ＰＣｅｌｌのセルレベル測定に関係する失敗をネットワークノード１１０に通知し得る。
【０１１７】
イベントＡ５が設定された、すなわち、ＰＣｅｌｌ／ＰＳＣｅｌｌが絶対しきい値１よりも悪くなり、ネイバーが別の絶対しきい値２よりも良好になった、および所与の測定ｉｄによって測定対象、たとえば、ＭＯ−ｎにリンクされた場合、イベントＡ５は、任意のネイバーセル測定結果、たとえば、ｔｒｉｇｇｅｒＱｕａｎｔｉｔｙがＲＳＲＰにセットされた場合はＲＳＲＰが、ｒｅｐｏｒｔＣｏｎｆｉｇ中でも、絶対しきい値２よりも良好になり、ＰＣｅｌｌ／ＰＳＣｅｌｌが絶対しきい値２よりも悪くなった場合、トリガされ得る。Ａ５について、以下が適用され得る。
−  測定対象にリンクされた少なくとも１つのｒｅｐｏｒｔＣｏｎｆｉｇ中で設定された少なくとも１つのＡ５イベントがあり、そのＲＳタイプがＳＳにセットされた場合、無線デバイス１３０は、ＳＳに基づくＰＣｅｌｌ測定結果を実施し得る。すなわち、無線デバイス１３０は、アクション２０２において、ＳＳに基づくＰＣｅｌｌ測定を実施することを決定し、次いで、それに応じて測定を実施し得る。
−  測定対象にリンクされた少なくとも１つのｒｅｐｏｒｔＣｏｎｆｉｇ中で設定された少なくとも１つのＡ５イベントがあり、そのＲＳタイプがＣＳＩ−ＲＳにセットされた場合、無線デバイス１３０は、ＣＳＩ−ＲＳに基づくＰＣｅｌｌ測定結果を実施し得る。すなわち、無線デバイス１３０は、アクション２０２において、ＣＳＩ−ＲＳに基づくＰＣｅｌｌ測定を実施することを決定し、次いで、それに応じて測定を実施し得る。
【０１１８】
イベントＡ５およびＡ３について、無線デバイス１３０は、たとえばｒｅｐｏｒｔＣｏｎｆｉｇ中で、ネットワークノード１１０によって指示されたとき、ＰＣｅｌｌ測定またはＰＳＣｅｌｌ測定のいずれかを実施し得る。
【０１１９】
イベントＡ６が設定された、すなわち、ネイバーがＳＣｅｌｌよりもオフセットの分量だけ良好になった、および所与の測定ｉｄによって測定対象、たとえば、ＭＯ−ｎにリンクされた場合、イベントＡ６は、任意のネイバーセル測定結果、たとえば、同じくｒｅｐｏｒｔＣｏｎｆｉｇ中で、ｔｒｉｇｇｅｒＱｕａｎｔｉｔｙがＲＳＲＰにセットされた場合はＲＳＲＰが、ＳＣｅｌｌよりもオフセットの分量だけ良好になった場合、トリガされ得る。Ａ６について、以下が適用され得る。
−  測定対象にリンクされた少なくとも１つのｒｅｐｏｒｔＣｏｎｆｉｇ中で設定された少なくとも１つのＡ６イベントがあり、そのＲＳタイプがＳＳにセットされた場合、無線デバイス１３０は、ＳＳに基づくＳＣｅｌｌ測定結果を、設定されたＳＣｅｌｌにリンクされた測定対象に関連する周波数に関連する少なくともＳＣｅｌｌについて実施し得る。すなわち、無線デバイス１３０は、アクション２０２において、ＳＳに基づくＳＣｅｌｌ測定を実施することを決定し、次いで、それに応じて測定を実施し得る。
−  測定対象にリンクされた少なくとも１つのｒｅｐｏｒｔＣｏｎｆｉｇ中で設定された少なくとも１つのＡ６イベントがあり、そのＲＳタイプがＣＳＩ−ＲＳにセットされた場合、無線デバイス１３０は、ＣＳＩ−ＲＳに基づくＳＣｅｌｌ測定結果を、設定されたＳＣｅｌｌにリンクされた測定対象に関連する周波数に関連する少なくともＳＣｅｌｌについて実施し得る。すなわち、無線デバイス１３０は、アクション２０２において、ＣＳＩ−ＲＳに基づくＳＣｅｌｌ測定を実施することを決定し、次いで、それに応じて測定を実施し得る。
【０１２０】
本明細書のいくつかの実施形態についてｒｅｐｏｒｔＣｏｎｆｉｇ中に含まれ得るＲＳタイプ（ｒｓＴｙｐｅ）の例が、以下の図に示されている。どのイベントが設定され、どんなｒｓＴｙｐｅが設定されるかに応じて、無線デバイス１３０は、前の説明において指示されているように、ＰＣｅｌｌ測定およびＳＣｅｌｌ測定を含み得る。
2020530680.tif 000006
【０１２１】
すべての上述の説明は、ＰＣｅｌｌまたはＳＣｅｌｌがＰＳＣｅｌｌと交換されたとしても当てはまると理解され得る。
【０１２２】
本明細書の実施形態の利点は、測定リポートが異なるＲＳタイプに基づくＳＣｅｌｌの品質を含んでいることがあることである。たとえば、ネットワークは、ＣＡ目的でＳＣｅｌｌのナロービームの品質を知ることを希望し得るが、カバレッジがより重要であると考えられ得るおよび／または制御チャネルロバストネスが重要であると考えられ得る、ＰＣｅｌｌにとって、ワイドビームの品質がより重要であり得る。
【０１２３】
図５は、無線デバイス１３０が図２に関して上記で説明された方法アクションを実施するために備え得る構成の２つの異なる例を、それぞれパネルａ）およびｂ）において示す。無線デバイス１３０は、少なくとも第１のセル１２１を備えるように設定されたセルのセット上での無線デバイス１３０による測定をハンドリングするように設定される。無線デバイス１３０は無線通信ネットワーク１００中で動作するように設定される。いくつかの実施形態では、無線デバイス１３０は、図５ａに示されている以下の構成を備え得る。
【０１２４】
以下のうちのいくつかの詳細な説明は、無線デバイス１３０について説明されたアクションに関して、上記で提供された同じ言及に対応し、したがって、ここでは繰り返されない。たとえば、セルのセットは、サービングセルであるように設定される。
【０１２５】
図５では、随意のモジュールは点線ボックスで指示される。
【０１２６】
無線デバイス１３０は、たとえば、セルのセット中の各セルについて測定を実施すべき１つまたは複数の信号タイプを決定するように設定された、無線デバイス１３０内の決定モジュール５０１によって、アクション２０２の決定することを実施するように設定され得る。決定することは、１つまたは複数のイベントの、設定されたイベントごとの、取得されるように設定された設定に基づくように設定され、１つまたは複数のイベントの各々は、測定リポートをトリガするための条件をセットするように設定される。１つまたは複数のイベントのうちの少なくとも１つが、測定対象にリンクされるように設定された少なくとも１つのｒｅｐｏｒｔＣｏｎｆｉｇ中で設定され、ｒｅｐｏｒｔＣｏｎｆｉｇ内のその参照信号（ＲＳ）タイプが１つまたは複数の信号タイプのうちの１つの信号タイプにセットされるように設定される。無線デバイス１３０は、少なくとも、セットされるように設定された１つの信号タイプに対して測定を実施することを決定するように設定される。取得モジュール５０３は、無線デバイス１３０のプロセッサ５０６、またはそのようなプロセッサ上で実行しているアプリケーションであり得る。
【０１２７】
無線デバイス１３０は、たとえば、無線デバイス１３０をサービングするように設定されたネットワークノード１１０に指示を送ることを始動するように設定された、無線デバイス１３０内の始動モジュール５０２によって、アクション２０３の始動することを実施するように設定され得る。指示は、決定されるように設定された１つまたは複数の信号タイプに対する無線デバイス１３０による測定に基づくように設定される。始動モジュール５０２は、無線デバイス１３０のプロセッサ５０６、またはそのようなプロセッサ上で実行しているアプリケーションであり得る。
【０１２８】
いくつかの実施形態では、指示は、決定されるように設定された１つまたは複数の信号タイプに基づくセルレベル情報を備えるようにさらに設定され得る。
【０１２９】
指示は、決定されるように設定された１つまたは複数の信号タイプに基づくビームレベル情報を備えるようにさらに設定され得る。
【０１３０】
いくつかの実施形態では、取得されるように設定された設定は、ｒｅｐｏｒｔＣｏｎｆｉｇであり得る。
【０１３１】
いくつかの実施形態では、指示は、第２の指示であり得る。そのような実施形態では、無線デバイス１３０は、たとえば、ネットワークノード１１０から第１の指示を取得するように設定された、無線デバイス１３０内の取得モジュール５０３によって、アクション２０１の取得することを実施するように設定され得、第１の指示は設定を備えるように設定される。取得モジュール５０３は、無線デバイス１３０のプロセッサ５０６、またはそのようなプロセッサ上で実行しているアプリケーションであり得る。
【０１３２】
１つまたは複数の信号タイプは、ＳＳブロック中のＲＳ、またはＣＳＩ−ＲＳを備え得る。
【０１３３】
いくつかの実施形態では、ａ）１つまたは複数のイベントのうちの少なくとも１つがＡ１であり、イベントＡ１が設定され、第１のセル１２１に関連するように設定された測定対象にリンクされるように設定されることと、ｂ）１つまたは複数のイベントのうちの少なくとも１つがＡ２であり、イベントＡ２が設定され、第１のセル１２１に関連するように設定された測定対象にリンクされるように設定されることとのうちの１つが適用され得る。
【０１３４】
いくつかの実施形態では、１つまたは複数のイベントのうちの少なくとも１つはＡ１およびＡ２のうちの１つであり得る。そのような実施形態では、ａ）測定対象が、第１のセル１２１に関連するように設定され、少なくとも１つのｒｅｐｏｒｔＣｏｎｆｉｇにリンクされるように設定され、そのＲＳタイプがＳＳにセットされるように設定され、無線デバイス１３０が、ＳＳに基づく第１のセル１２１測定を実施するようにさらに設定されることと、ｂ）測定対象が、第１のセル１２１に関連するように設定され、少なくとも１つのｒｅｐｏｒｔＣｏｎｆｉｇにリンクされるように設定され、そのＲＳタイプがＣＳＩ−ＲＳにセットされるように設定され、無線デバイス１３０が、ＣＳＩ−ＲＳに基づく第１のセル１２１測定を実施するようにさらに設定されることとのうちの少なくとも１つが適用され得る。
【０１３５】
いくつかの実施形態では、１つまたは複数のイベントのうちの少なくとも１つはＡ３であり得る。そのような実施形態では、ａ）Ａ３イベントが、測定対象にリンクされるように設定された少なくとも１つのｒｅｐｏｒｔＣｏｎｆｉｇ中で設定され、そのＲＳタイプがＳＳにセットされるように設定され、無線デバイス１３０が、少なくともＳＳに基づく第１のセル１２１測定を実施するようにさらに設定されることと、ｂ）Ａ３イベントが、測定対象にリンクされるように設定された少なくとも１つのｒｅｐｏｒｔＣｏｎｆｉｇ中で設定され、そのＲＳタイプがＣＳＩ−ＲＳにセットされるように設定され、無線デバイス１３０が、少なくともＣＳＩ−ＲＳに基づく第１のセル１２１測定を実施するようにさらに設定されることとのうちの少なくとも１つが適用され得る。
【０１３６】
いくつかの実施形態では、１つまたは複数のイベントのうちの少なくとも１つはＡ４であり得る。そのような実施形態では、ａ）Ａ４イベントが、測定対象にリンクされるように設定された少なくとも１つのｒｅｐｏｒｔＣｏｎｆｉｇ中で設定され、そのＲＳタイプがＳＳにセットされるように設定され、無線デバイス１３０が、ＳＳに基づく第１のセル１２１測定を実施するようにさらに設定されることと、ｂ）Ａ４イベントが、測定対象にリンクされるように設定された少なくとも１つのｒｅｐｏｒｔＣｏｎｆｉｇ中で設定され、そのＲＳタイプがＣＳＩ−ＲＳにセットされるように設定され、無線デバイス１３０が、ＣＳＩ−ＲＳに基づく第１のセル１２１測定を実施するようにさらに設定されることと、ｃ）Ａ４イベントが、測定対象にリンクされるように設定された少なくとも１つのｒｅｐｏｒｔＣｏｎｆｉｇ中で設定され、そのＲＳタイプがＣＳＩ−ＲＳにセットされるように設定され、ＣＳＩ−ＲＳが無線デバイス１３０のために設定されず、無線デバイス１３０が、ＳＳに基づく第１のセル１２１測定を実施するようにさらに設定されることと、ｄ）Ａ４イベントが、測定対象にリンクされるように設定された少なくとも１つのｒｅｐｏｒｔＣｏｎｆｉｇ中で設定され、そのＲＳタイプがＣＳＩ−ＲＳにセットされるように設定され、ＣＳＩ−ＲＳが第１のセル１２１のために設定されず、無線デバイス１３０が、第１のセル１２１のセルレベル測定に関係する失敗をネットワークに通知するようにさらに設定されることとのうちの少なくとも１つが適用され得る。
【０１３７】
いくつかの実施形態では、１つまたは複数のイベントのうちの少なくとも１つはＡ５であり得る。そのような実施形態では、ａ）Ａ５イベントが、測定対象にリンクされるように設定された少なくとも１つのｒｅｐｏｒｔＣｏｎｆｉｇ中で設定され、そのＲＳタイプがＳＳにセットされるように設定され、無線デバイス１３０が、ＳＳに基づく第１のセル１２１測定を実施するようにさらに設定されることと、ｂ）Ａ５イベントが、測定対象にリンクされるように設定された少なくとも１つのｒｅｐｏｒｔＣｏｎｆｉｇ中で設定され、そのＲＳタイプがＣＳＩ−ＲＳにセットされるように設定され、無線デバイス１３０が、ＣＳＩ−ＲＳに基づく第１のセル１２１測定を実施するようにさらに設定されることとのうちの少なくとも１つが適用され得る。
【０１３８】
いくつかの実施形態では、セルのセットは、１つまたは複数の第２のセル１２２をさらに備えるようにさらに設定され得る。
【０１３９】
第１のセル１２１は１次セル（ＰＣｅｌｌ）であるように設定され得、１つまたは複数の第２のセル１２２は２次セル（ＳＣｅｌｌ）であるように設定され得る。
【０１４０】
いくつかの実施形態では、１つまたは複数のイベントのうちの少なくとも１つはＡ６であり得る。そのような実施形態では、ａ）Ａ６イベントが、測定対象にリンクされるように設定された少なくとも１つのｒｅｐｏｒｔＣｏｎｆｉｇ中で設定され、そのＲＳタイプがＳＳにセットされるように設定され、無線デバイス１３０が、ＳＳに基づく１つまたは複数の第２のセル１２２測定を、設定された１つまたは複数の第２のセル１２２にリンクされるように設定された測定対象に関連する周波数に関連するように設定された少なくとも１つまたは複数の第２のセル１２２について実施するようにさらに設定されることと、ｂ）Ａ６イベントが、測定対象にリンクされるように設定された少なくとも１つのｒｅｐｏｒｔＣｏｎｆｉｇ中で設定され、そのＲＳタイプがＣＳＩ−ＲＳにセットされるように設定され、無線デバイス１３０が、ＣＳＩ−ＲＳに基づく１つまたは複数の第２のセル１２２測定を、設定された１つまたは複数の第２のセル１２２にリンクされるように設定された測定対象に関連する周波数に関連するように設定された少なくとも１つまたは複数の第２のセル１２２について実施するようにさらに設定されることとのうちの少なくとも１つが適用され得る。
【０１４１】
指示は、１つまたは複数のイベントのうちの少なくとも１つのどのイベントが設定されるかと、どんなＲＳタイプが設定され得るかとに基づくようにさらに設定され得る。
【０１４２】
他のモジュール５０４が無線デバイス１３０中に備えられ得る。
【０１４３】
無線デバイス１３０は、クライアントアプリケーションモジュール５０５をも備え得、クライアントアプリケーションモジュール５０５は、たとえば、第３のリンク１６０を介して、ホストコンピュータ１５０中のホストアプリケーションモジュール８０１とユーザデータを通信するように設定され得る。
【０１４４】
無線デバイス１３０は、無線デバイス１３０と他のノードまたはデバイス、たとえば、ネットワークノード１１０およびホストコンピュータ１５０のいずれか、または他のノードのいずれかとの間の通信を容易にするように設定されたインターフェースユニットまたは通信インターフェースを備え得る。インターフェースは、たとえば、好適な規格に従ってエアインターフェース上で無線信号を送信および受信するように設定されたトランシーバを含み得る。
【０１４５】
無線デバイス１３０は、図５または図９に示されているような構成を備え得る。
【０１４６】
無線デバイス１３０における本明細書の実施形態は、本明細書の実施形態の機能およびアクションを実施するためのコンピュータプログラムコードとともに、図５ａに示されている無線デバイス１３０中のプロセッサ５０６など、１つまたは複数のプロセッサを通して実装され得る。本明細書で使用されるプロセッサは、ハードウェア構成要素であると理解され得る。上述のプログラムコードはまた、たとえば、無線デバイス１３０にロードされているとき、本明細書の実施形態を実施するためのコンピュータプログラムコードを搬送するデータキャリアの形態の、コンピュータプログラム製品として提供され得る。１つのそのようなキャリアは、ＣＤ  ＲＯＭディスクの形態であり得る。ただし、そのようなキャリアは、メモリスティックなど、他のデータキャリアで実現可能である。コンピュータプログラムコードは、さらに、サーバ上の純粋なプログラムコードとして提供され、無線デバイス１３０にダウンロードされ得る。
【０１４７】
無線デバイス１３０は、１つまたは複数のメモリユニットを備えるメモリ５０７をさらに備え得る。メモリ５０７は、無線デバイス１３０中で実行されているとき、本明細書の方法を実施するために、取得された情報を記憶すること、データ、設定、スケジューリング、およびアプリケーションを記憶することなどを行うために使用されるように構成される。
【０１４８】
いくつかの実施形態では、無線デバイス１３０は、受信ポート５０８を通して、たとえば、ネットワークノード１１０およびホストコンピュータ１５０のいずれかから情報を受信し得る。いくつかの実施形態では、受信ポート５０８は、たとえば、無線デバイス１３０中の１つまたは複数のアンテナに接続され得る。他の実施形態では、無線デバイス１３０は、受信ポート５０８を通して無線通信ネットワーク１００中の別の構造から情報を受信し得る。受信ポート５０８がプロセッサ５０６と通信していることがあるので、受信ポート５０８は、その場合、受信された情報をプロセッサ５０６に送り得る。受信ポート５０８はまた、他の情報を受信するように設定され得る。
【０１４９】
無線デバイス１３０中のプロセッサ５０６は、プロセッサ５０６およびメモリ５０７と通信していることがある送信ポート（ｓｅｎｄｉｎｇ  ｐｏｒｔ）５０９を通して、たとえば、ネットワークノード１１０およびホストコンピュータ１５０、無線通信ネットワーク１００中の別の構造のいずれかに、情報を送信するまたは送るようにさらに設定され得る。
【０１５０】
また、上記で説明された決定モジュール５０１、始動モジュール５０２、取得モジュール５０３、他のモジュール５０４およびクライアントアプリケーションモジュール５０５は、アナログモジュールおよびデジタルモジュール、ならびに／または、プロセッサ５０６など、１つまたは複数のプロセッサによって実行されたとき、上記で説明されたように実施する、たとえばメモリに記憶されたソフトウェアおよび／またはファームウェアを伴って設定された１つまたは複数のプロセッサの、組合せを指し得ることを、当業者は諒解されよう。これらのプロセッサのうちの１つまたは複数、ならびに他のデジタルハードウェアが、単一の特定用途向け集積回路（ＡＳＩＣ）中に含まれ得るか、または、個々にパッケージングされるのか、システムオンチップ（ＳｏＣ）にアセンブルされるのかにかかわらず、数個のプロセッサおよび様々なデジタルハードウェアが、数個の別個の構成要素間で分散され得る。
【０１５１】
また、いくつかの実施形態では、上記で説明された異なるモジュール５０１〜５０５は、プロセッサ５０６など、１つまたは複数のプロセッサ上で実行している１つまたは複数のアプリケーションとして実装され得る。
【０１５２】
したがって、無線デバイス１３０のための本明細書で説明される実施形態による方法は、それぞれ、少なくとも１つのプロセッサ５０６上で実行されたとき、無線デバイス１３０によって実施されるように、少なくとも１つのプロセッサ５０６に、本明細書で説明されるアクションを行わせる、命令、すなわち、ソフトウェアコード部分を備える、コンピュータプログラム５１０製品によって実装され得る。コンピュータプログラム５１０製品は、コンピュータ可読記憶媒体５１１に記憶され得る。コンピュータプログラム５１０を記憶したコンピュータ可読記憶媒体５１１は、少なくとも１つのプロセッサ５０６上で実行されたとき、無線デバイス１３０によって実施されるように、少なくとも１つのプロセッサ５０６に、本明細書で説明されるアクションを行わせる、命令を備え得る。いくつかの実施形態では、コンピュータ可読記憶媒体５１１は、ＣＤ  ＲＯＭディスク、またはメモリスティックなど、非一時的コンピュータ可読記憶媒体であり得る。他の実施形態では、コンピュータプログラム５１０製品は、たった今説明されたコンピュータプログラム５１０を含んでいるキャリアに記憶され得、キャリアは、電子信号、光信号、無線信号、または、上記で説明されたようなコンピュータ可読記憶媒体５１１のうちの１つである。
【０１５３】
他の実施形態では、無線デバイス１３０は、図５ｂに示されている以下の構成を備え得る。無線デバイス１３０は、無線デバイス１３０中の、処理回路要素５１２、たとえば、プロセッサ５０６など、１つまたは複数のプロセッサと、メモリ５０７とを備え得る。無線デバイス１３０は無線回路要素５１３をも備え得、無線回路要素５１３は、たとえば、受信ポート５０８および送信ポート５０９を備え得る。処理回路要素５１２は、図５ａに関して説明されたのと同様にして、図２による方法アクションを実施するように設定されるか、または、図２による方法アクションを実施するように動作可能であり得る。無線回路要素５１３は、少なくとも、ネットワークノード１１０およびホストコンピュータ１５０のいずれかとの無線接続をセットアップし、維持するように設定され得る。回路要素は、本明細書ではハードウェア構成要素として理解され得る。
【０１５４】
したがって、本明細書の実施形態はまた、無線デバイス１３０による測定をハンドリングするように動作可能な無線デバイス１３０に関し、無線デバイス１３０は無線通信ネットワーク１００中で動作するように動作可能である。無線デバイス１３０は処理回路要素５１２とメモリ５０７とを備え得、前記メモリ５０７は前記処理回路要素５１２によって実行可能な命令を含んでおり、それにより、無線デバイス１３０は、たとえば、図２において、無線デバイス１３０に関して本明細書で説明されたアクションを実施するようにさらに動作可能である。
【０１５５】
図６は、ネットワークノード１１０が図３に関して上記で説明された方法アクションを実施するために備え得る構成の２つの異なる例を、それぞれパネルａ）およびｂ）において示す。ネットワークノード１１０は、少なくとも第１のセル１２１を備えるように設定されたセルのセット上での無線デバイス１３０による測定をハンドリングするように設定される。ネットワークノード１１０と無線デバイス１３０とは無線通信ネットワーク１００中で動作するように設定される。いくつかの実施形態では、ネットワークノード１１０は、図６ａに示されている以下の構成を備え得る。
【０１５６】
以下のうちのいくつかの詳細な説明は、ネットワークノード１１０について説明されたアクションに関して、上記で提供された同じ言及に対応し、したがって、ここでは繰り返されない。たとえば、セルのセットは、サービングセルであるように設定される。
【０１５７】
図６では、随意のモジュールは点線ボックスで指示される。
【０１５８】
ネットワークノード１１０は、たとえば、無線デバイス１３０に第１の指示を提供するように設定された、ネットワークノード１１０内の提供モジュール６０１によって、アクション３０１の提供することを実施するように設定される。第１の指示は、１つまたは複数のイベントの、設定されたイベントごとの、設定を備えるように設定される。１つまたは複数のイベントの各々は、測定リポートをトリガするための条件をセットするように設定される。１つまたは複数のイベントのうちの少なくとも１つが、測定対象にリンクされるように設定された少なくとも１つのｒｅｐｏｒｔＣｏｎｆｉｇ中で設定され、ｒｅｐｏｒｔＣｏｎｆｉｇ内のそのＲＳタイプが、測定を実施すべき、１つまたは複数の信号タイプのうちの１つの信号タイプにセットされるように設定される。提供モジュール６０１は、ネットワークノード１１０のプロセッサ６０４、またはそのようなプロセッサ上で実行しているアプリケーションであり得る。
【０１５９】
ネットワークノード１１０は、たとえば、提供されるように設定された第１の指示に基づいて、無線デバイス１３０から第２の指示を取得することであって、第２の指示が、少なくとも、ｒｅｐｏｒｔＣｏｎｆｉｇ内でセットされるように設定された１つの信号タイプに対する、無線デバイス１３０による測定に基づくように設定された、第２の指示を取得することを行うように設定された、ネットワークノード１１０内の取得モジュール６０２によって、アクション３０２のこの取得することを実施するように設定される。取得モジュール６０２は、ネットワークノード１１０のプロセッサ６０４、またはそのようなプロセッサ上で実行しているアプリケーションであり得る。
【０１６０】
第２の指示は、提供されるように設定された第１の指示に基づくセルレベル情報を備えるようにさらに設定され得る。
【０１６１】
いくつかの実施形態では、第２の指示は、提供されるように設定された第１の指示に基づくビームレベル情報を備えるようにさらに設定され得る。
【０１６２】
提供されるように設定された設定は、ｒｅｐｏｒｔＣｏｎｆｉｇであり得る。
【０１６３】
１つまたは複数の信号タイプは、ＳＳブロック中のＲＳ、またはＣＳＩ−ＲＳを備え得る。
【０１６４】
いくつかの実施形態では、ａ）１つまたは複数のイベントのうちの少なくとも１つがＡ１であり、イベントＡ１が設定され、第１のセル１２１に関連するように設定された測定対象にリンクされるように設定されることと、ｂ）１つまたは複数のイベントのうちの少なくとも１つがＡ２であり、イベントＡ２が設定され、第１のセル１２１に関連するように設定された測定対象にリンクされるように設定されることとのうちの少なくとも１つが適用され得る。
【０１６５】
いくつかの実施形態では、１つまたは複数のイベントのうちの少なくとも１つはＡ１およびＡ２のうちの１つであり得る。そのような実施形態では、ａ）測定対象が、第１のセル１２１に関連するように設定され、少なくとも１つのｒｅｐｏｒｔＣｏｎｆｉｇにリンクされるように設定され、そのＲＳタイプがＳＳにセットされるように設定され、第２の指示が、ＳＳに基づく、無線デバイス１３０によって実施されるように設定された第１のセル１２１測定に基づくように設定されることと、ｂ）測定対象が、第１のセル１２１に関連するように設定され、少なくとも１つのｒｅｐｏｒｔＣｏｎｆｉｇにリンクされるように設定され、そのＲＳタイプがＣＳＩ−ＲＳにセットされるように設定され、第２の指示が、ＣＳＩ−ＲＳに基づく、無線デバイス１３０によって実施されるように設定された第１のセル１２１測定に基づくように設定されることとのうちの少なくとも１つが適用され得る。
【０１６６】
いくつかの実施形態では、１つまたは複数のイベントのうちの少なくとも１つはＡ３であり得る。そのような実施形態では、ａ）Ａ３イベントが、測定対象にリンクされるように設定された少なくとも１つのｒｅｐｏｒｔＣｏｎｆｉｇ中で設定され、そのＲＳタイプがＳＳにセットされるように設定され、第２の指示が、少なくともＳＳに基づく、無線デバイス１３０によって実施されるように設定された第１のセル１２１測定に基づくように設定されることと、ｂ）Ａ３イベントが、測定対象にリンクされるように設定された少なくとも１つのｒｅｐｏｒｔＣｏｎｆｉｇ中で設定され、そのＲＳタイプがＣＳＩ−ＲＳにセットされるように設定され、第２の指示が、少なくともＣＳＩ−ＲＳに基づく、無線デバイス１３０によって実施されるように設定された第１のセル１２１測定に基づくように設定されることとのうちの少なくとも１つが適用され得る。
【０１６７】
いくつかの実施形態では、１つまたは複数のイベントのうちの少なくとも１つはＡ４であり得る。そのような実施形態では、ａ）Ａ４イベントが、測定対象にリンクされるように設定された少なくとも１つのｒｅｐｏｒｔＣｏｎｆｉｇ中で設定され、そのＲＳタイプがＳＳにセットされるように設定され、第２の指示が、ＳＳに基づく、無線デバイス１３０によって実施されるように設定された第１のセル１２１測定に基づくように設定されることと、ｂ）Ａ４イベントが、測定対象にリンクされるように設定された少なくとも１つのｒｅｐｏｒｔＣｏｎｆｉｇ中で設定され、そのＲＳタイプがＣＳＩ−ＲＳにセットされるように設定され、第２の指示が、ＣＳＩ−ＲＳに基づく、無線デバイス１３０によって実施されるように設定された第１のセル１２１測定に基づくように設定されることと、ｃ）Ａ４イベントが、測定対象にリンクされるように設定された少なくとも１つのｒｅｐｏｒｔＣｏｎｆｉｇ中で設定され、そのＲＳタイプがＣＳＩ−ＲＳにセットされるように設定され、ＣＳＩ−ＲＳが無線デバイス１３０のために設定されず、第２の指示が、ＳＳに基づく、無線デバイス１３０によって実施されるように設定された第１のセル１２１測定に基づくように設定されることと、ｄ）Ａ４イベントが、測定対象にリンクされるように設定された少なくとも１つのｒｅｐｏｒｔＣｏｎｆｉｇ中で設定され、そのＲＳタイプがＣＳＩ−ＲＳにセットされるように設定され、ＣＳＩ−ＲＳが第１のセル１２１のために設定されず、ネットワークノード１１０が無線デバイス１３０から通知を受信するように設定され、通知が第１のセル１２１のセルレベル測定に関係する失敗を通知するように設定されることとのうちの少なくとも１つが適用され得る。
【０１６８】
いくつかの実施形態では、１つまたは複数のイベントのうちの少なくとも１つはＡ５であり得る。そのような実施形態では、ａ）Ａ５イベントが、測定対象にリンクされるように設定された少なくとも１つのｒｅｐｏｒｔＣｏｎｆｉｇ中で設定され、そのＲＳタイプがＳＳにセットされるように設定され、第２の指示が、ＳＳに基づく、無線デバイス１３０によって実施されるように設定された第１のセル１２１測定に基づくように設定されることと、ｂ）Ａ５イベントが、測定対象にリンクされるように設定された少なくとも１つのｒｅｐｏｒｔＣｏｎｆｉｇ中で設定され、そのＲＳタイプがＣＳＩ−ＲＳにセットされるように設定され、第２の指示が、ＣＳＩ−ＲＳに基づく、無線デバイス１３０によって実施されるように設定された第１のセル１２１測定に基づくように設定されることとのうちの少なくとも１つが適用され得る。
【０１６９】
セルのセットは、１つまたは複数の第２のセル１２２を備えるようにさらに設定され得る。
【０１７０】
第１のセル１２１は１次セル（ＰＣｅｌｌ）であるように設定され得、１つまたは複数の第２のセル１２２は２次セル（ＳＣｅｌｌ）であるように設定され得る。
【０１７１】
いくつかの実施形態では、１つまたは複数のイベントのうちの少なくとも１つはＡ６であり得る。そのような実施形態では、ａ）Ａ６イベントが、測定対象にリンクされるように設定された少なくとも１つのｒｅｐｏｒｔＣｏｎｆｉｇ中で設定され、そのＲＳタイプがＳＳにセットされるように設定され、第２の指示が、設定された１つまたは複数の第２のセル１２２にリンクされるように設定された測定対象に関連する周波数に関連するように設定された少なくとも１つまたは複数の第２のセル１２２についてのＳＳに基づく、１つまたは複数の第２のセル１２２上で無線デバイス１３０によって実施されるように設定された測定に基づくように設定されることと、ｂ）Ａ６イベントが、測定対象にリンクされるように設定された少なくとも１つのｒｅｐｏｒｔＣｏｎｆｉｇ中で設定され、そのＲＳタイプがＣＳＩ−ＲＳにセットされるように設定され、第２の指示が、設定された１つまたは複数の第２のセル１２２にリンクされるように設定された測定対象に関連するように設定された周波数に関連するように設定された少なくとも１つまたは複数の第２のセル１２２についてのＣＳＩ−ＲＳに基づくように設定された、１つまたは複数の第２のセル１２２上で無線デバイス１３０によって実施されるように設定された測定に基づくように設定されることとのうちの少なくとも１つが適用され得る。
【０１７２】
いくつかの実施形態では、第２の指示は、１つまたは複数のイベントのうちの少なくとも１つのどのイベントが設定されるかと、どんなＲＳタイプが設定されるかとに基づくようにさらに設定され得る。
【０１７３】
他のモジュール６０３がネットワークノード１１０中に備えられ得る。
【０１７４】
ネットワークノード１１０における本明細書の実施形態は、本明細書の実施形態の機能およびアクションを実施するためのコンピュータプログラムコードとともに、図６ａに示されているネットワークノード１１０中のプロセッサ６０４など、１つまたは複数のプロセッサを通して実装され得る。本明細書で使用されるプロセッサは、ハードウェア構成要素であると理解され得る。上述のプログラムコードはまた、たとえば、ネットワークノード１１０にロードされているとき、本明細書の実施形態を実施するためのコンピュータプログラムコードを搬送するデータキャリアの形態の、コンピュータプログラム製品として提供され得る。１つのそのようなキャリアは、ＣＤ  ＲＯＭディスクの形態であり得る。ただし、そのようなキャリアは、メモリスティックなど、他のデータキャリアで実現可能である。コンピュータプログラムコードは、さらに、サーバ上の純粋なプログラムコードとして提供され、ネットワークノード１１０にダウンロードされ得る。
【０１７５】
ネットワークノード１１０は、１つまたは複数のメモリユニットを備えるメモリ６０５をさらに備え得る。メモリ６０５は、ネットワークノード１１０中で実行されているとき、本明細書の方法を実施するために、取得された情報を記憶すること、データ、設定、スケジューリング、およびアプリケーションを記憶することなどを行うために使用されるように構成される。
【０１７６】
いくつかの実施形態では、ネットワークノード１１０は、受信ポート６０６を通して、たとえば、無線デバイス１３０およびホストコンピュータ１５０のいずれかから情報を受信し得る。いくつかの実施形態では、受信ポート６０６は、たとえば、ネットワークノード１１０中の１つまたは複数のアンテナに接続され得る。他の実施形態では、ネットワークノード１１０は、受信ポート６０６を通して無線通信ネットワーク１００中の別の構造から情報を受信し得る。受信ポート６０６がプロセッサ６０４と通信していることがあるので、受信ポート６０６は、その場合、受信された情報をプロセッサ６０４に送り得る。受信ポート６０６はまた、他の情報を受信するように設定され得る。
【０１７７】
ネットワークノード１１０中のプロセッサ６０４は、プロセッサ６０４およびメモリ６０５と通信していることがある送信ポート６０７を通して、たとえば、無線デバイス１３０およびホストコンピュータ１５０、または無線通信ネットワーク１００中の別の構造のいずれかに、情報を送信するまたは送るようにさらに設定され得る。
【０１７８】
また、上記で説明された提供モジュール６０１、取得モジュール６０２、および他のモジュール６０３は、アナログモジュールおよびデジタルモジュール、ならびに／または、プロセッサ６０４など、１つまたは複数のプロセッサによって実行されたとき、上記で説明されたように実施する、たとえばメモリに記憶されたソフトウェアおよび／またはファームウェアを伴って設定された１つまたは複数のプロセッサの、組合せを指し得ることを、当業者は諒解されよう。これらのプロセッサのうちの１つまたは複数、ならびに他のデジタルハードウェアが、単一の特定用途向け集積回路（ＡＳＩＣ）中に含まれ得るか、または、個々にパッケージングされるのか、システムオンチップ（ＳｏＣ）にアセンブルされるのかにかかわらず、数個のプロセッサおよび様々なデジタルハードウェアが、数個の別個の構成要素間で分散され得る。
【０１７９】
また、いくつかの実施形態では、上記で説明された異なるモジュール６０１〜６０３は、プロセッサ６０４など、１つまたは複数のプロセッサ上で実行している１つまたは複数のアプリケーションとして実装され得る。
【０１８０】
したがって、ネットワークノード１１０のための本明細書で説明される実施形態による方法は、それぞれ、少なくとも１つのプロセッサ６０４上で実行されたとき、ネットワークノード１１０によって実施されるように、少なくとも１つのプロセッサ６０４に、本明細書で説明されるアクションを行わせる、命令、すなわち、ソフトウェアコード部分を備える、コンピュータプログラム６０８製品によって実装され得る。コンピュータプログラム６０８製品は、コンピュータ可読記憶媒体６０９に記憶され得る。コンピュータプログラム６０８を記憶したコンピュータ可読記憶媒体６０９は、少なくとも１つのプロセッサ６０４上で実行されたとき、ネットワークノード１１０によって実施されるように、少なくとも１つのプロセッサ６０４に、本明細書で説明されるアクションを行わせる、命令を備え得る。いくつかの実施形態では、コンピュータ可読記憶媒体６０９は、ＣＤ  ＲＯＭディスク、またはメモリスティックなど、非一時的コンピュータ可読記憶媒体であり得る。他の実施形態では、コンピュータプログラム６０８製品は、たった今説明されたコンピュータプログラム６０８を含んでいるキャリアに記憶され得、キャリアは、電子信号、光信号、無線信号、または、上記で説明されたようなコンピュータ可読記憶媒体６０９のうちの１つである。
【０１８１】
ネットワークノード１１０は、ネットワークノード１１０と他のノードまたはデバイス、たとえば、第１の無線デバイス１３０およびホストコンピュータ１５０のいずれか、または他のノードのいずれかとの間の通信を容易にするように設定されたインターフェースユニットまたは通信インターフェースを備え得る。いくつかの特定の例では、インターフェースは、たとえば、好適な規格に従ってエアインターフェース上で無線信号を送信および受信するように設定されたトランシーバを含み得る。
【０１８２】
他の実施形態では、ネットワークノード１１０は、図６ｂに示されている以下の構成を備え得る。ネットワークノード１１０は、ネットワークノード１１０中の、処理回路要素６１０、たとえば、プロセッサ６０４など、１つまたは複数のプロセッサと、メモリ６０５とを備え得る。ネットワークノード１１０は無線回路要素６１１をも備え得、無線回路要素６１１は、たとえば、受信ポート６０６および送信ポート６０７を備え得る。処理回路要素６１０は、図６ａに関して説明されたのと同様にして、図３による方法アクションを実施するように設定されるか、または、図３による方法アクションを実施するように動作可能であり得る。無線回路要素６１１は、少なくとも、無線デバイス１３０およびホストコンピュータ１５０のいずれかとの無線接続をセットアップし、維持するように設定され得る。回路要素は、本明細書ではハードウェア構成要素として理解され得る。
【０１８３】
したがって、本明細書の実施形態はまた、無線デバイス１３０による測定をハンドリングするように動作可能なネットワークノード１１０に関し、ネットワークノード１１０は無線通信ネットワーク１００中で動作するように動作可能である。ネットワークノード１１０は処理回路要素６１０とメモリ６０５とを備え得、前記メモリ６０５は前記処理回路要素６１０によって実行可能な命令を含んでおり、それにより、ネットワークノード１１０は、たとえば、図３において、ネットワークノード１１０に関して本明細書で説明されたアクションを実施するようにさらに動作可能である。
【０１８４】
本明細書の実施形態に関係する他の例
次に、本明細書の実施形態の例が提供される。
【０１８５】
より詳細には、以下は、ａ）無線デバイス１３０、たとえば、５Ｇ  ＵＥなど、無線デバイスに関係する例、およびｂ）ネットワークノード１１０、たとえば、ｇＮＢなど、ネットワークノードに関係する例である。
【０１８６】
無線デバイス１３０の例は、図２、図５、図６および図９に関係する。
【０１８７】
無線デバイス１３０によって実施される方法は、以下のアクションのうちの１つまたは複数を備え得る。本方法は、第１のセル１２１と１つまたは複数の第２のセル１２２とを備えるセルのセット上での無線デバイス１３０による測定をハンドリングするためのものであり得る。セルのセットは、無線デバイス１３０による使用のために設定され得る。無線デバイス１３０は無線通信ネットワーク１００中で動作していることがある。
【０１８８】
いくつかの実施形態では、すべてのアクションが実施され得る。いくつかの実施形態では、１つまたは複数のアクションが実施され得る。１つまたは複数の実施形態は、適用可能な場合に、組み合わせられ得る。説明を簡略化するために、すべての可能な組合せが説明されるとは限らない。
・  セルのセット中のセルの各々について測定を実施すべき１つまたは複数の信号タイプを決定すること２０２であって、決定が、セルのセット中のセルの各々についての１つまたは複数の信号タイプのための設定が取得されたか否かに基づく、１つまたは複数の信号タイプを決定すること２０２。
【０１８９】
決定は、ａ）無線デバイス１３０による取得された設定の不在と、ｂ）セルのセット中のセルのすべてよりも少ないセルについての、すなわち、セルのセット中のセルのすべてではないセルについての１つまたは複数のタイプを備える取得された設定とのうちの少なくとも１つの場合、セルのセット中のセルのうちの少なくとも１つについての測定を実施すべき信号の１つまたは複数のデフォルトタイプに基づき得る。
【０１９０】
信号の１つまたは複数のデフォルトタイプは、１つまたは複数の信号タイプの第３のグループとして理解され得る。
・  ネットワークノード、たとえば、無線デバイス１３０をサービングするネットワークノード１１０に指示を送ることを始動すること２０３であって、指示が、決定された１つまたは複数のタイプに対する無線デバイス１３０による測定に基づく、指示を送ることを始動すること２０３。
【０１９１】
そのような実施形態では、本方法は、以下のアクションをさらに備え得る。
・  ネットワークノード１１０から第１の指示を取得すること２０１であって、第１の指示が設定を備える、第１の指示を取得すること２０１。
【０１９２】
ネットワークノード１１０の例は、図３、図６、図７および図９に関係する。
【０１９３】
ネットワークノード１１０によって実施される方法は、以下のアクションのうちの１つまたは複数を備え得る。本方法は、セルのセット上での無線デバイス１３０による測定をハンドリングするためのものであり得る。セルのセットは、第１のセル１２１と１つまたは複数の第２のセル１２２とを備え得る。セルのセットは、無線デバイス１３０による使用のために設定され得る。ネットワークノード１１０と無線デバイス１３０とは無線通信ネットワーク１００中で動作していることがある。
・  無線デバイス１３０に第１の指示を提供すること３０１であって、第１の指示が、セルのセット中のセルのうちの少なくとも１つ上で測定を実施すべき１つまたは複数の信号タイプのための設定を備える、第１の指示を提供すること３０１。
・  無線デバイス１３０から第２の指示を取得すること３０２。第２の指示は、提供された第１の指示に基づく無線デバイス１３０による測定に基づき得る。
【０１９４】
指示は、たとえば、たとえばｍｅａｓＲｅｓｕｌｔｓ中に備えられ得る。
【０１９５】
提供された設定は、セルのセット中のセルのすべてよりも少ないセルについての１つまたは複数のタイプを備え得る。
【０１９６】
提供された第１の指示中の設定は、１つまたは複数のイベントのうちの設定されたイベントごとであり得、１つまたは複数のイベントの各々は、測定または測定リポートをトリガするための条件をセットし得る。
【０１９７】
第２の指示は、提供された第１の指示に基づくビームレベル情報をさらに備え得る。
【０１９８】
第１の指示は、ＭｅａｓＣｏｎｆｉｇ中の情報エレメントであり得る。
【０１９９】
第１のセル１２１は１次セルＰＣｅｌｌであり得、１つまたは複数の第２のセル１２２は２次セルＳＣｅｌｌであり得る。
【０２００】
１つまたは複数の信号タイプは、ＮＲ−ＰＳＳおよび／またはＮＲ−ＳＳＳなど、ＳＳブロック中のＲＳ、ならびに／あるいは、ＰＢＣＨ  ＤＲＭＳまたはＣＳＩ−ＲＳを備え得る。
【０２０１】
無線デバイスが、セルのセット中のセルの各々について測定を実施すべき１つまたは複数の信号タイプを決定し、その決定が、セルのセット中のセルの各々についての１つまたは複数の信号タイプのための設定が取得されたか否かに基づくことによって、測定リポートは、異なるタイプの信号、たとえば、ＲＳ信号に基づく、セルのセット中のセル、たとえば、ＳＣｅｌｌの品質を含んでいることがある。次いでネットワークノードに指示を送ることを始動することによって、ネットワークは、デュアルコネクティビティまたはキャリアアグリゲーションを確立する前に、両方の異なる信号に基づいてセルの品質を評価することを可能にされ得る。これは、詳細には、たとえば、異なるタイプの信号がビームフォーミングされた信号であり得、それらの信号が別様にビームフォーミングされ得るとき、有用であり得る。信号のタイプのうちの１つがカバレッジ指向、たとえば、均一なカバレッジをもつより広いビームであり得、別のタイプの信号が容量指向、たとえば、より狭いビームであり得、ただし、むらがあるカバレッジをもつ。ネットワークノード１１０が信号の両方のこれらのタイプに基づくＳＣｅｌｌ品質を取得する場合、特定のセル、たとえば、ＳＣｅｌｌが無線デバイス１３０に好適であり得るか否かをより良く判定することが可能にされ得る。
【０２０２】
次に、本明細書の実施形態に関係する例のうちの特定の例が説明される。以下の説明では、ＵＥへの言及は無線デバイス１３０に関係すると理解され得、ネットワークノードへの言及はネットワークノード１１０に関係すると理解され得る。
【０２０３】
第１の関係する例では、無線デバイス１３０は、各サービングセルについて、すなわち、ＰＣｅｌｌおよび設定されたＳＣｅｌｌについて、すべての可能な参照信号、たとえば、ＳＳおよびＣＳＩ−ＲＳに基づくセル測定を実施する。その例では、ＮＲの場合、ＵＥが、指定されたトリガ量、たとえば、ＲＳＲＰおよびＲＳＲＱごとのＫ個のＳＣｅｌｌを設定した場合、ＵＥは、ＳＳブロックとＣＳＩ−ＲＳの両方に基づく、ＰＣｅｌｌおよび各ＳＣｅｌｌについてセル測定結果を実施し得るか、またはセル測定結果を実施することを必要とされ得るか、またはセル測定結果を実施するように設定され得る。言い換えれば、ＵＥは、ＰＣｅｌｌについて、以下を実施し得る。
−  ＳＳブロックに基づくＰＣｅｌｌ  ＲＳＲＰ測定結果、
−  ＣＳＩ−ＲＳに基づくＰＣｅｌｌ  ＲＳＲＰ測定結果、
−  ＳＳブロックに基づくＰＣｅｌｌ  ＲＳＲＱ測定結果、
−  ＣＳＩ−ＲＳに基づくＰＣｅｌｌ  ＲＳＲＱ測定結果。
【０２０４】
また、ｋ＝１、．．．、Ｋの場合の、各設定されたＳＣｅｌｌ（ｋ）について、
−  ＳＳブロックに基づくＳＣｅｌｌ（ｋ）  ＲＳＲＰ測定結果、
−  ＣＳＩ−ＲＳに基づくＳＣｅｌｌ（ｋ）  ＲＳＲＰ測定結果、
−  ＳＳブロックに基づくＳＣｅｌｌ（ｋ）  ＲＳＲＱ測定結果、
−  ＣＳＩ−ＲＳに基づくＳＣｅｌｌ（ｋ）  ＲＳＲＱ測定結果。
【０２０５】
その関係する例に関係する１つの可能なＵＥアクションが、サービングセル、すなわち、ＰＣｅｌｌのサブセットおよび／または設定されたＳＣｅｌｌのサブセットに関連するＣＳＩ−ＲＳ設定のみをネットワークが提供したにすぎない場合、起こり得る。その場合、１つの手法では、ＵＥは、セル測定結果を実施するためにＳＳブロックを使用し得る。別のソリューションでは、ＵＥは、失敗をネットワークに通知し得るが、たとえば、既存のメッセージ中でまたはその目的で規定された新しいメッセージ中で指示することによって通知し得る。
【０２０６】
第２の関係する例では、ＵＥは、ＰＣｅｌｌ測定結果のための（１つまたは複数の）単一のデフォルトＲＳタイプを有し得る。その関係する例における１つの手法では、ＰＣｅｌｌ  ＲＳタイプのための特定の設定が提供されていないことがある場合、あるいはそのセルに関連する周波数および／または測定対象の場合、ＲＳタイプは、ＵＥによってＳＳブロックにセットされ得る。別のソリューションでは、ＰＣｅｌｌ  ＲＳタイプのための設定が提供されない場合、ＲＳタイプは、ＵＥによってＣＳＩ−ＲＳにセットされ得る。デフォルトであるものとしてのＣＳＩ−ＲＳの場合、ＵＥは、ＰＣｅｌｌのためのＣＳＩ−ＲＳ関係設定が提供されなかった場合、依然としてＳＳブロックを使用し得る。
【０２０７】
第３の例では、ＵＥは、ＳＣｅｌｌ測定結果のための（１つまたは複数の）単一のデフォルトＲＳタイプを有し得る。その例における１つの手法では、ＳＣｅｌｌ  ＲＳタイプのための特定の設定が提供されない場合、あるいはそのセルに関連する周波数および／または測定対象の場合、ＲＳタイプは、ＵＥによってＳＳブロックにセットされ得る。別の手法では、ＳＣｅｌｌ  ＲＳタイプのための設定が提供されない場合、ＲＳタイプは、ＵＥによってＣＳＩ−ＲＳにセットされ得る。デフォルトであるものとしてのＣＳＩ−ＲＳの場合、ＵＥは、ＳＣｅｌｌのためのＣＳＩ−ＲＳ関係設定が提供されなかった場合、依然としてＳＳブロックを使用し得る。
【０２０８】
第３の関係する例では、ＵＥは、以下の代替形態のうちの１つまたは組合せであり得る、ＭｅａｓＯｂｊｅｃｔの一部としてサービングセル測定のために使用されるべきＲＳタイプを伴って設定され得る。
−  サービングセルＲＳタイプＰＣｅｌｌ（ｐＣｅｌｌＲＳＴｙｐｅ）：ＭｅａｓＯｂｊｅｃｔＮＲが測定識別子にリンクされるか否かにかかわらず、設定された情報は、ＵＥが、そのＲＳタイプに基づくＰＣｅｌｌ測定結果を実施し得ることを解釈するために、ＵＥによって使用され得る。そのＲＳタイプは、ＮＲ  ＳＳブロックまたはＣＳＩ−ＲＳであり得る。測定対象（ＭＯ）にリンクされた設定されたイベントに基づいて、ＵＥは、ＰＣｅｌｌ測定を必要とするすべてのイベント、同じＲＳタイプが使用されることを了解し得るか、または、トリガ条件としてＰＣｅｌｌ測定結果を必要とする少なくとも１つのイベントが、測定対象において提供されるＲＳタイプとは異なるＲＳタイプを使用する場合、ＵＥは、その別のＲＳタイプに基づく、ＰＣｅｌｌについての追加の測定結果を実施し得る。
−  サービングセルＲＳタイプＳＣｅｌｌ（ｓＣｅｌｌＲＳＴｙｐｅ）：ＭｅａｓＯｂｊｅｃｔＮＲが測定識別子にリンクされるか否かにかかわらず、設定された情報は、ＵＥが、その同じＭｅａｓＯｂｊｅｃｔＮＲの同じ周波数に関連する設定されたＳＣｅｌｌについて、そのＲＳタイプに基づくＳＣｅｌｌ測定結果を実施し得ることを解釈するために、ＵＥによって使用され得る。そのＲＳタイプは、ＮＲ  ＳＳブロックまたはＣＳＩ−ＲＳであり得る。ＭＯにリンクされた設定されたイベントに基づいて、ＵＥは、ＳＣｅｌｌ測定を必要とするすべてのイベント、同じＲＳタイプが使用されることを了解し得るか、または、トリガ条件としてＳＣｅｌｌ測定結果を必要とする少なくとも１つのイベントが、測定対象において提供されるＲＳタイプとは異なるＲＳタイプを使用する場合、ＵＥは、その別のＲＳタイプに基づく、ＳＣｅｌｌについての追加の測定結果を実施し得る。
2020530680.tif 000007
【０２０９】
第４の関係する例では、ＵＥは、以下の代替形態のうちの１つまたは組合せであり得る、ＭｅａｓＣｏｎｆｉｇの一部としてサービングセル測定のために使用されるべきＲＳタイプを伴って設定され得る。
−  サービングセルＲＳタイプＰＣｅｌｌ（ｐＣｅｌｌＲＳＴｙｐｅ）：ＵＥが、そのＲＳタイプに基づくＰＣｅｌｌ測定結果を実施し得ることを指示する、ｍｅａｓＣｏｎｆｉｇ中で規定されたＩＥがあり得る。そのＲＳタイプは、ＮＲ  ＳＳブロックまたはＣＳＩ−ＲＳであり得る。設定されたＭＯにリンクされた設定されたイベントに基づいて、ＵＥは、ＰＣｅｌｌ測定を必要とするすべてのイベント、同じＲＳタイプが使用されることを了解し得るか、または、トリガ条件としてＰＣｅｌｌ測定結果を必要とし得る少なくとも１つのイベントが、測定対象において提供されるＲＳタイプとは異なるＲＳタイプを使用する場合、ＵＥは、その別のＲＳタイプに基づく、ＰＣｅｌｌについての追加の測定結果を実施し得る。
−  サービングセルＲＳタイプＳＣｅｌｌ（ｓＣｅｌｌＲＳＴｙｐｅ）：ＵＥが、その（１つまたは複数の）設定されたＲＳタイプに基づくすべてのＳＣｅｌｌ測定結果を実施し得ることを指示する、ｍｅａｓＣｏｎｆｉｇ中で規定されたＩＥがあり得る。そのＲＳタイプは、ＮＲ  ＳＳブロックまたはＣＳＩ−ＲＳであり得る。ＭＯにリンクされた設定されたイベントに基づいて、ＵＥは、ＳＣｅｌｌ測定を必要とするすべてのイベント、同じＲＳタイプが使用されることを了解し得るか、または、トリガ条件としてＳＣｅｌｌ測定結果を必要とする少なくとも１つのイベントが、測定対象において提供されるＲＳタイプとは異なるＲＳタイプを使用する場合、ＵＥは、その別のＲＳタイプに基づく、ＳＣｅｌｌについての追加の測定結果を実施し得る。
2020530680.tif 000008
【０２１０】
ＲＳタイプが選択されることが述べられたが、そのＲＳタイプが１つのＲＳタイプ、ＳＳブロックまたはＣＳＩ−ＲＳ、あるいは両方のＲＳタイプ、たとえば、ＳＳブロックおよびＣＳＩ−ＲＳであり得ることに留意されたい。
【０２１１】
ＵＥが、ＳＳのみに基づいてサービングセル、すなわち、ＰＣｅｌｌまたはＳＣｅｌｌを測定していることがあるとき、および測定リポートがトリガされ得るとき、送られた測定リポートは、ＳＳＢのみに基づくサービングセルレベル品質を含み得る。ＵＥは、測定リポート中に含まれるセルについてのＳＳＢに基づくビームベース結果をも含み得る。
【０２１２】
ＵＥが、ＣＳＩ−ＲＳのみに基づいてサービングセル、すなわち、ＰＣｅｌｌまたはＳＣｅｌｌを測定していることがあるとき、および測定リポートがトリガされ得るとき、送られた測定リポートは、ＣＳＩ−ＲＳのみに基づくサービングセルレベル品質を含み得る。ＵＥは、測定リポート中に含まれるセルについてのＣＳＩ−ＲＳに基づくビームベース結果をも含み得る。
【０２１３】
ＵＥが、ＳＳとＣＳＩ−ＲＳの両方に基づいてサービングセル、すなわち、ＰＣｅｌｌまたはＳＣｅｌｌを測定していることがあるとき、および測定リポートがトリガされ得るとき、送られた測定リポートは、ＳＳＢに基づくサービングセルレベル品質とＣＳＩ−ＲＳに基づくサービングセル品質とを含み得る。ＵＥは、測定リポート中に含まれるセルについてのＳＳＢおよびＣＳＩ−ＲＳに基づくビームベース結果をも含み得る。
【０２１４】
ＳＣｅｌｌに関係するｍｅａｓＲｅｓｕｌｔｓ構造構成要素の例示的なフォーマットが、以下で与えられる。そのフォーマットは、ｒｓＴｙｐｅパラメータを使用して、ＳＣｅｌｌについて含まれるセル品質がＳＳに基づくのかＣＳＩ−ＲＳに基づくのかをＵＥが報告するシナリオに対応する。
2020530680.tif 000009
【０２１５】
ＳＣｅｌｌに関係するｍｅａｓＲｅｓｕｌｔｓ構造構成要素の別の例示的なフォーマットが、以下で与えられる。そのフォーマットは、ｒｓＴｙｐｅパラメータを使用して、ＳＣｅｌｌについて含まれるセル品質がＳＳまたはＣＳＩ−ＲＳに基づくことをＵＥが報告するシナリオに対応し、また、ＳＣｅｌｌに関係するビームレベル情報がＳＳまたはＣＳＩ−ＲＳに基づくことを知らせる。
2020530680.tif 000010
【０２１６】
すべての上述の例は、ＰＣｅｌｌまたはＳＣｅｌｌがＰＳＣｅｌｌと交換されたとしても当てはまる。
【０２１７】
さらなる拡張および変形形態
次に、電気通信システム１８０に関係する実施形態が説明される。
【０２１８】
電気通信システム１８０によって実施される方法は、以下のアクションのうちの１つまたは複数を備え得る。
【０２１９】
いくつかの実施形態では、すべてのアクションが実施され得る。いくつかの実施形態では、１つまたは複数のアクションが実施され得る。１つまたは複数の実施形態は、適用可能な場合に、組み合わせられ得る。詳細には、ここまで説明されたアクション、特徴または実施形態のいずれかが、以下で説明される通信システム１８０における方法のアクションと組み合わせられ得ることが理解され得る。説明を簡略化するために、すべての可能な組合せが説明されるとは限らない。図７では、随意のアクションは破線で指示される。いくつかのアクションは、図７に示されている順序とは異なる順序で実施され得る。たとえば、通信は受信または送信のいずれかであり得るので、それらのアクションは、図７に示されている順序とは反対の順序で実施され得る。
【０２２０】
アクション７０１
このアクション７０１において、通信システム１８０は、ホストコンピュータ１５０において、無線デバイス１３０のユーザについてのユーザデータを取得し得る。
【０２２１】
アクション７０２
このアクション７０２において、通信システム１８０は、ホストコンピュータ１５０において、無線デバイス１３０へのまたは無線デバイス１３０からのユーザデータの通信を始動し得る。
【０２２２】
アクション７０３
このアクション７０３において、通信システム１８０は、ネットワークノード１１０において、ホストコンピュータ１５０と無線デバイス１３０との間でユーザデータを通信し得る。ネットワークノード１１０は、無線デバイス１３０に第１の指示を提供するアクション３０１であって、第１の指示が、１つまたは複数のイベントの、設定されたイベントごとの、設定を備え、１つまたは複数のイベントの各々が、測定リポートをトリガするための条件をセットし、１つまたは複数のイベントのうちの少なくとも１つが、測定対象にリンクされた少なくとも１つのｒｅｐｏｒｔＣｏｎｆｉｇ中で設定され、ｒｅｐｏｒｔＣｏｎｆｉｇ内のその参照信号（ＲＳ）タイプが、測定を実施すべき１つまたは複数の信号タイプのうちの１つの信号タイプにセットされる、第１の指示を提供するアクション３０１をさらに実施し得る。ネットワークノード１１０は、提供された第１の指示に基づいて、無線デバイス１３０から第２の指示を取得するアクション３０２をさらに実施し得る。第２の指示は、少なくとも、ｒｅｐｏｒｔＣｏｎｆｉｇ内でセットされる１つの信号タイプに対する、無線デバイス１３０による測定に基づき得る。
【０２２３】
アクション７０４
このアクション７０４において、通信システム１８０は、無線デバイス１３０において、ホストコンピュータ１５０へのまたはホストコンピュータ１５０からのユーザデータを通信し得る。無線デバイス１３０は、セルのセット中のセルの各々について測定を実施すべき１つまたは複数の信号タイプを決定するアクション２０２であって、決定が、１つまたは複数のイベントの、設定されたイベントごとの、取得された設定に基づき、１つまたは複数のイベントの各々が、測定リポートをトリガするための条件をセットし、１つまたは複数のイベントのうちの少なくとも１つが、測定対象にリンクされた少なくとも１つのｒｅｐｏｒｔＣｏｎｆｉｇ中で設定され、ｒｅｐｏｒｔＣｏｎｆｉｇ内のその参照信号（ＲＳ）タイプが、１つまたは複数の信号タイプのうちの１つの信号タイプにセットされ、無線デバイス１３０が、少なくとも、セットされる１つの信号タイプに対して測定を実施することを決定する、１つまたは複数の信号タイプを決定するアクション２０２をさらに実施し得る。
【０２２４】
無線デバイス１３０は、無線デバイス１３０をサービングするネットワークノード１１０に指示を送ることを始動するアクション２０３であって、指示が、決定された１つまたは複数のタイプに対する無線デバイス１３０による測定に基づく、指示を送ることを始動するアクション２０３をさらに実施し得る。
【０２２５】
無線デバイス１３０は、ネットワークノード１１０から第１の指示を取得するアクション２０１であって、第１の指示が設定を備える、第１の指示を取得するアクション２０１をさらに実施し得る。
【０２２６】
通信することは、本明細書では、受信することまたは送信することのいずれかを意味し得る。同様に、通信は、送信または受信であり得る。ホストコンピュータ１５０が通信を始動し、通信が送信である場合、ネットワークノード１１０における通信すること７０３は、ホストコンピュータ１５０から受信することと、無線デバイス１３０に送信することとを含み得、無線デバイス１３０における通信すること７０４は受信することを含み得ることが理解され得る。同様に、ホストコンピュータ１５０が通信を始動し、通信が受信である場合、ネットワークノード１１０における通信すること７０３は、無線デバイス１３０から受信することと、ホストコンピュータ１５０に送信することとを含み得、無線デバイス１３０における通信すること７０４は送信することを含み得ることが理解され得る。
【０２２７】
図７に関して上記で説明された方法アクションを実施するために、通信システム１８０は、ブロードキャスト情報をハンドリングするように設定され得る。電気通信システム１８０は、ホストコンピュータ１５０と、ネットワークノード１１０および無線デバイス１３０のうちの少なくとも１つとを備え得る。
【０２２８】
通信システム１８０は、ホストコンピュータ１５０において、無線デバイス１３０のユーザについてのユーザデータを取得するように設定され得る。通信システム１８０は、ホストコンピュータ１５０において、無線デバイス１３０へのまたは無線デバイス１３０からのユーザデータの通信を始動するようにさらに設定され得る。
【０２２９】
図８は、ホストコンピュータ１５０が図７に関して上記で説明された方法アクションを実施するために備え得る構成の２つの異なる例を、それぞれパネルａ）およびｂ）において示す。
【０２３０】
以下のうちのいくつかの詳細な説明は、ネットワークノード１１０および無線デバイス１３０について説明されたアクションに関して、上記で提供された同じ言及に対応し、したがって、ここでは繰り返されない。いくつかの実施形態では、ホストコンピュータ１５０は、図８ａに示されている以下の構成を備え得る。
【０２３１】
ホストコンピュータ１５０は、たとえば、ホストコンピュータ１５０において、無線デバイス１３０のユーザについてのユーザデータを取得するように設定された、ホストコンピュータ１５０内のホストアプリケーションモジュール８０１によって、アクション７０１の取得することを実施するように設定され得る。ホストアプリケーションモジュール８０１は、ホストコンピュータ１５０のプロセッサ８０２、またはそのようなプロセッサ上で実行しているアプリケーションであり得る。
【０２３２】
ホストコンピュータ１５０は、たとえば、ホストコンピュータ１５０において、無線デバイス１３０へのまたは無線デバイス１３０からのユーザデータの通信を始動するように設定された、ホストコンピュータ１５０内のホストアプリケーションモジュール８０１によって、アクション７０２の始動することを実施するように設定され得る。ホストアプリケーションモジュール８０１は、ホストコンピュータ１５０のプロセッサ８０２、またはそのようなプロセッサ上で実行しているアプリケーションであり得る。
【０２３３】
ホストコンピュータ１５０における本明細書の実施形態は、本明細書の実施形態の機能およびアクションを実施するためのコンピュータプログラムコードとともに、図８ａに示されているホストコンピュータ１５０中のプロセッサ８０２など、１つまたは複数のプロセッサを通して実装され得る。本明細書で使用されるプロセッサは、ハードウェア構成要素であると理解され得る。上述のプログラムコードはまた、たとえば、ホストコンピュータ１５０にロードされているとき、本明細書の実施形態を実施するためのコンピュータプログラムコードを搬送するデータキャリアの形態の、コンピュータプログラム製品として提供され得る。１つのそのようなキャリアは、ＣＤ  ＲＯＭディスクの形態であり得る。ただし、そのようなキャリアは、メモリスティックなど、他のデータキャリアで実現可能である。コンピュータプログラムコードは、さらに、サーバ上の純粋なプログラムコードとして提供され、ホストコンピュータ１５０にダウンロードされ得る。
【０２３４】
ホストコンピュータ１５０は、１つまたは複数のメモリユニットを備えるメモリ８０３をさらに備え得る。メモリ８０３は、ホストコンピュータ１５０中で実行されているとき、本明細書の方法を実施するために、取得された情報を記憶すること、データ、設定、スケジューリング、およびアプリケーションを記憶することなどを行うために使用されるように構成される。
【０２３５】
いくつかの実施形態では、ホストコンピュータ１５０は、受信ポート８０４を通して、たとえば、ネットワークノード１１０および無線デバイス１３０のいずれかから情報を受信し得る。いくつかの実施形態では、受信ポート８０４は、たとえば、ホストコンピュータ１５０中の１つまたは複数のアンテナに接続され得る。他の実施形態では、ホストコンピュータ１５０は、受信ポート８０４を通して、電気通信システム１８０中の、たとえば、無線通信ネットワーク１００中の別の構造から情報を受信し得る。受信ポート８０４がプロセッサ８０２と通信していることがあるので、受信ポート８０４は、その場合、受信された情報をプロセッサ８０２に送り得る。受信ポート８０４はまた、他の情報を受信するように設定され得る。
【０２３６】
ホストコンピュータ１５０中のプロセッサ８０２は、プロセッサ８０２およびメモリ８０３と通信していることがある送信ポート８０５を通して、たとえば、ネットワークノード１１０、無線デバイス１３０、および／または電気通信システム１８０中の、たとえば、無線通信ネットワーク１００中の別の構造のいずれかに、情報を送信するまたは送るようにさらに設定され得る。
【０２３７】
また、上記で説明されたホストアプリケーションモジュール８０１は、アナログモジュールおよびデジタルモジュール、ならびに／または、プロセッサ８０２など、１つまたは複数のプロセッサによって実行されたとき、上記で説明されたように実施する、たとえばメモリに記憶されたソフトウェアおよび／またはファームウェアを伴って設定された１つまたは複数のプロセッサの、組合せを指し得ることを、当業者は諒解されよう。これらのプロセッサのうちの１つまたは複数、ならびに他のデジタルハードウェアが、単一の特定用途向け集積回路（ＡＳＩＣ）中に含まれ得るか、または、個々にパッケージングされるのか、システムオンチップ（ＳｏＣ）にアセンブルされるのかにかかわらず、数個のプロセッサおよび様々なデジタルハードウェアが、数個の別個の構成要素間で分散され得る。
【０２３８】
また、いくつかの実施形態では、上記で説明されたホストアプリケーションモジュール８０１は、プロセッサ８０２など、１つまたは複数のプロセッサ上で実行している１つまたは複数のアプリケーションとして実装され得る。
【０２３９】
したがって、ホストコンピュータ１５０のための本明細書で説明される実施形態による方法は、それぞれ、少なくとも１つのプロセッサ８０２上で実行されたとき、ホストコンピュータ１５０によって実施されるように、少なくとも１つのプロセッサ８０２に、本明細書で説明されるアクションを行わせる、命令、すなわち、ソフトウェアコード部分を備える、コンピュータプログラム８０６製品によって実装され得る。コンピュータプログラム８０６製品は、コンピュータ可読記憶媒体８０７に記憶され得る。コンピュータプログラム８０６を記憶したコンピュータ可読記憶媒体８０７は、少なくとも１つのプロセッサ８０２上で実行されたとき、ホストコンピュータ１５０によって実施されるように、少なくとも１つのプロセッサ８０２に、本明細書で説明されるアクションを行わせる、命令を備え得る。いくつかの実施形態では、コンピュータ可読記憶媒体８０７は、ＣＤ  ＲＯＭディスク、またはメモリスティックなど、非一時的コンピュータ可読記憶媒体であり得る。他の実施形態では、コンピュータプログラム８０６製品は、たった今説明されたコンピュータプログラム８０６を含んでいるキャリアに記憶され得、キャリアは、電子信号、光信号、無線信号、または、上記で説明されたようなコンピュータ可読記憶媒体８０７のうちの１つである。
【０２４０】
ホストコンピュータ１５０は、ホストコンピュータ１５０と他のノードまたはデバイス、たとえば、ネットワークノード１１０および無線デバイス１３０のいずれか、または無線通信ネットワーク１００中の他のノードのいずれかとの間の通信を容易にするように設定されたインターフェースユニットまたは通信インターフェースを備え得る。インターフェースは、たとえば、好適な規格に従ってエアインターフェース上で無線信号を送信および受信するように設定されたトランシーバを含み得る。
【０２４１】
他の実施形態では、ホストコンピュータ１５０は、図８ｂに示されている以下の構成を備え得る。ホストコンピュータ１５０は、ホストコンピュータ１５０中の、処理回路要素８０８、たとえば、プロセッサ８０２など、１つまたは複数のプロセッサと、メモリ８０３とを備え得る。ホストコンピュータ１５０は無線回路要素８０９をも備え得、無線回路要素８０９は、たとえば、受信ポート８０４および送信ポート８０５を備え得る。処理回路要素８０８は、図８ａに関して説明されたのと同様にして、図７による方法アクションを実施するように設定され得る。無線回路要素８０９は、少なくとも、ネットワークノード１１０および無線デバイス１３０のいずれかとの無線接続をセットアップし、維持するように設定され得る。回路要素は、本明細書ではハードウェア構成要素として理解され得る。
【０２４２】
したがって、本明細書の実施形態はまた、ホストコンピュータ１５０によるセル選択および／または再選択をハンドリングするように動作可能なホストコンピュータ１５０に関し、ホストコンピュータ１５０は無線通信ネットワーク１００中で動作するように動作可能である。ホストコンピュータ１５０は処理回路要素８０８とメモリ８０３とを備え得、前記メモリ８３は前記処理回路要素８０８によって実行可能な命令を含んでおり、それにより、ホストコンピュータ１５０は、たとえば、図７において、ホストコンピュータ１５０に関して本明細書で説明されたアクションを実施するようにさらに動作可能である。
【０２４３】
次に、一実施形態による、前の段落において説明された無線デバイス１３０およびホストコンピュータ１５０の例示的な実装形態が、図９を参照しながら説明される。この例示的な実装形態によれば、電気通信システム１８０では、ホストコンピュータ１５０は、電気通信システム１８０の異なる通信デバイスのインターフェースとの有線接続または無線接続をセットアップし、維持するように設定された通信インターフェース９０２を含むハードウェア（ＨＷ）９０１を備える。通信インターフェース９０２は、上記で説明されたように、受信ポート８０４と送信ポート８０５とを備え得る。ホストコンピュータ１５０は、記憶能力および／または処理能力を有し得る、処理回路要素８０８をさらに備える。特に、処理回路要素８０８は、命令を実行するように適応された、図示されていない、１つまたは複数のプログラマブルプロセッサ、特定用途向け集積回路、フィールドプログラマブルゲートアレイ、またはこれらの組合せを備え得る。ホストコンピュータ１５０によって実施される本明細書の実施形態は、本明細書の実施形態の機能およびアクションを実施するためのコンピュータプログラムコードとともに、図８に示されているホストコンピュータ１５０中の処理回路要素８０８など、１つまたは複数のプロセッサを通して実装され得る。上述のプログラムコードはまた、たとえば、ホストコンピュータ１５０にロードされているとき、本明細書の実施形態を実施するためのコンピュータプログラムコードを搬送するデータキャリアの形態の、コンピュータプログラム製品として提供され得る。１つのそのようなキャリアは、ＣＤ  ＲＯＭディスクの形態であり得る。ただし、そのようなキャリアは、メモリスティックなど、他のデータキャリアで実現可能である。コンピュータプログラムコードは、さらに、サーバ上の純粋なプログラムコードとして提供され、ホストコンピュータ１５０にダウンロードされ得る。
【０２４４】
ホストコンピュータ１５０のハードウェア９０１は、図を簡略化するために図９に示されていないメモリ８０３をさらに備え得る。
【０２４５】
ホストコンピュータ１５０は、ホストコンピュータ１５０に記憶されるかまたはホストコンピュータ１５０によってアクセス可能であり、処理回路要素８０８によって実行可能である、ソフトウェア（ＳＷ）９０３をさらに備え得る。ソフトウェア９０３は、ホストアプリケーション９０４を含み得る。ホストアプリケーション９０４は、無線デバイス１３０およびホストコンピュータ１５０において終端する、第３のリンク１６０、たとえば、ＯＴＴ接続を介して接続する、無線デバイス１３０など、リモートユーザにサービスを提供するように動作可能であり得る。リモートユーザにサービスを提供する際に、ホストアプリケーション９０４は、第３のリンク１６０、たとえば、ＯＴＴ接続を使用して通信されるユーザデータを提供し得る。ホストアプリケーション９０４は、ホストアプリケーションモジュール８０１によって実施されるように、前に説明されたアクションのいずれかを実施するように設定されるか、または前に説明されたアクションのいずれかを実施するように動作可能であると理解され得る。
【０２４６】
処理回路要素８０８は、無線デバイス１３０のユーザについてのユーザデータを提供するように設定され得る。いくつかの実施形態では、ホストコンピュータ１５０の処理回路要素８０８は、ホストアプリケーション９０４を実行し、それによりユーザデータを提供するように設定され得る。
【０２４７】
処理回路要素８０８は、無線デバイス１３０にユーザデータを搬送する通信を始動するようにさらに設定され得る。
【０２４８】
通信インターフェース９０２は、無線デバイス１３０を備える無線通信ネットワーク１００にユーザデータを通信するように設定され得る。
【０２４９】
また、上記で説明されたホストアプリケーション９０４は、いくつかの他の例では、アナログモジュールおよびデジタルモジュール、ならびに／または、処理回路要素８０８など、１つまたは複数のプロセッサによって実行されたとき、上記で説明されたように実施する、たとえばメモリに記憶されたソフトウェアおよび／またはファームウェアを伴って設定された１つまたは複数のプロセッサの、組合せを指し得ることを、当業者は諒解されよう。これらのプロセッサのうちの１つまたは複数、ならびに他のデジタルハードウェアが、単一の特定用途向け集積回路（ＡＳＩＣ）中に含まれ得るか、または、個々にパッケージングされるのか、システムオンチップ（ＳｏＣ）にアセンブルされるのかにかかわらず、数個のプロセッサおよび様々なデジタルハードウェアが、数個の別個の構成要素間で分散され得る。
【０２５０】
また、いくつかの実施形態では、上記で説明されたホストアプリケーション９０４は、処理回路要素８０８など、１つまたは複数のプロセッサ上で実行している１つまたは複数のアプリケーションとして実装され得る。
【０２５１】
電気通信システム１８０は、図９に示されている以下の例示的な構成を備え得る無線デバイス１３０をさらに含み得る。無線デバイスは、第３のリンク１６０の一部として、無線デバイス１３０が現在位置するカバレッジエリアをサービングするネットワークノード１１０との第１のリンク１４１および第２のリンク１４２のいずれかをセットアップし、維持するように設定された無線インターフェース９０６を含み得るハードウェア９０５を備え得る。無線デバイス１３０のハードウェア９０５は処理回路要素５１２をさらに含み、処理回路要素５１２は、命令を実行するように適応された、１つまたは複数のプログラマブルプロセッサ、特定用途向け集積回路、フィールドプログラマブルゲートアレイ、またはこれらの組合せ（図示せず）を備え得る。無線デバイス１３０はソフトウェア９０７をさらに備え得、ソフトウェア９０７は、無線デバイス１３０に記憶されるかまたは無線デバイス１３０によってアクセス可能であり、処理回路要素５１２によって実行可能である。ソフトウェア９０７は、クライアントアプリケーション９０８を含み得る。クライアントアプリケーション９０８は、ホストコンピュータ１５０のサポートのもとに、無線デバイス１３０を介して人間または人間でないユーザにサービスを提供するように動作可能であり得る。ホストコンピュータ１５０では、実行しているホストアプリケーション９０４は、無線デバイス１３０およびホストコンピュータ１５０において終端する、第３のリンク１６０、たとえば、ＯＴＴ接続を介して、実行しているクライアントアプリケーション９０８と通信し得る。ユーザにサービスを提供する際、クライアントアプリケーション９０８は、ホストアプリケーション９０４から要求データを受信し、要求データに応答してユーザデータを提供し得る。第３のリンク１６０は、要求データとユーザデータの両方を転送し得る。クライアントアプリケーション９０８は、クライアントアプリケーション９０８が提供するユーザデータを生成するためにユーザと対話し得る。クライアントアプリケーション９０８は、クライアントアプリケーションモジュール５０５によって実施されるように、前に説明されたアクションのいずれかを実施するように設定されるか、または前に説明されたアクションのいずれかを実施するように動作可能であると理解され得る。
【０２５２】
通信システム１８０は、以下のうちの少なくとも１つを行うようにさらに設定され得る。
ａ）ネットワークノード１１０において、ホストコンピュータ１５０と無線デバイス１３０との間でユーザデータを通信することであって、ネットワークノード１１０が、
無線デバイス１３０に第１の指示を提供する
ようにさらに設定された、ユーザデータを通信すること。第１の指示は、１つまたは複数のイベントの、設定されたイベントごとの、設定を備えるように設定される。１つまたは複数のイベントの各々は、測定リポートをトリガするための条件をセットするように設定される。１つまたは複数のイベントのうちの少なくとも１つが、測定対象にリンクされるように設定された少なくとも１つのｒｅｐｏｒｔＣｏｎｆｉｇ中で設定され、ｒｅｐｏｒｔＣｏｎｆｉｇ内のそのＲＳタイプが、測定を実施すべき、１つまたは複数の信号タイプのうちの１つの信号タイプにセットされるように設定され、ネットワークノード１１０は、提供されるように設定された第１の指示に基づいて、無線デバイス１３０から第２の指示を取得することであって、第２の指示が、少なくとも、ｒｅｐｏｒｔＣｏｎｆｉｇ内でセットされるように設定された１つの信号タイプに対する、無線デバイス１３０による測定に基づくように設定された、第２の指示を取得することを行うようにさらに設定され得る、および
ｂ）無線デバイス１３０において、ホストコンピュータ１５０にまたはホストコンピュータ１５０からユーザデータを通信することであって、無線デバイス１３０が、セルのセット中の各セルについて測定を実施すべき１つまたは複数の信号タイプを決定するようにさらに設定される、ユーザデータを通信すること。決定することは、１つまたは複数のイベントの、設定されたイベントごとの、取得されるように設定された設定に基づくように設定され、１つまたは複数のイベントの各々は、測定リポートをトリガするための条件をセットするように設定される。１つまたは複数のイベントのうちの少なくとも１つが、測定対象にリンクされるように設定された少なくとも１つのｒｅｐｏｒｔＣｏｎｆｉｇ中で設定され、ｒｅｐｏｒｔＣｏｎｆｉｇ内のその参照信号（ＲＳ）タイプが１つまたは複数の信号タイプのうちの１つの信号タイプにセットされるように設定される。無線デバイス１３０は、少なくとも、セットされるように設定された１つの信号タイプに対して測定を実施することを決定するように設定され、無線デバイス１３０は、無線デバイス１３０をサービングするように設定されたネットワークノード１１０に指示を送ることを始動するようにさらに設定され得る。指示は、決定されるように設定された１つまたは複数の信号タイプに対する無線デバイス１３０による測定に基づくように設定される。
【０２５３】
無線デバイス１３０は、たとえば、このアクションを実施するように設定された、無線デバイス１３０内のクライアントアプリケーションモジュール５０５によって、アクション７０４の通信することを実施するように設定され得る。
【０２５４】
無線デバイス１３０は、前に説明されたように、他のアクションを実施するように設定され得る。無線デバイス１３０はまた、前に説明されたように、図２に関して説明されたアクションのいずれかを実施するように設定され得る。
【０２５５】
無線デバイス１３０およびホストコンピュータ１５０の内部の働きは、それぞれ、図９に示されているようなものであるか、または図５および図８のいずれかの場合のようなものであり得、別個に、周囲ネットワークトポロジーは、図１のものであり得る。
【０２５６】
電気通信システム１８０は、図９に示されている以下の例示的な構成を備え得るネットワークノード１１０をさらに含み得る。ネットワークノード１１０は、第３のリンク１６０の一部として、無線デバイス１３０が現在位置するカバレッジエリアをサービングする、無線デバイス１３０との第１のリンク１４１、たとえば、無線接続をセットアップし、維持するように設定された無線インターフェース９１０を含み得るハードウェア９０９を備える。ネットワークノード１１０のハードウェア９０９は処理回路要素６１０をさらに含み、処理回路要素６１０は、命令を実行するように適応された、１つまたは複数のプログラマブルプロセッサ、特定用途向け集積回路、フィールドプログラマブルゲートアレイ、またはこれらの組合せ（図示せず）を備え得る。ネットワークノード１１０のハードウェア９０９は通信インターフェース９１１をさらに含み得、通信インターフェース９１１は、たとえば、第３のリンク１６０の一部として、ホストコンピュータ１５０への接続を容易にするように設定され得る。ネットワークノード１１０はソフトウェア９１２をさらに備え得、ソフトウェア９１２は、ネットワークノード１１０に記憶されるかまたはネットワークノード１１０によってアクセス可能であり、処理回路要素６１０によって実行可能である。
【０２５７】
ネットワークノード１１０は、たとえば、このアクションを実施するように設定された、ネットワークノード１１０内の他のモジュール６０３によって、アクション７０３の通信することを実施するように設定され得る。ネットワークノード１１０は、前に説明されたように、他のアクションを実施するように設定され得る。
【０２５８】
ネットワークノード１１０はまた、前に説明されたように、図３に関して説明されたアクションのいずれかを実施するように設定され得る。
【０２５９】
ネットワークノード１１０およびホストコンピュータ１５０の内部の働きは、それぞれ、図９に示されているようなものであるか、または図６および図８のいずれかの場合のようなものであり得、別個に、周囲ネットワークトポロジーは、図１のものであり得る。
【０２６０】
図９では、この図９ではＯＴＴ接続である第３のリンク１６０は、任意の仲介デバイス、およびこれらのデバイスを介したメッセージの正確なルーティングへの明示的な言及なしに、たとえば、ネットワークノード１１０を介し得る、ホストコンピュータ１５０と無線デバイス１３０との間の通信を示すために、概略的に描かれている。ネットワークインフラストラクチャがルーティングを決定し得、ルーティングは、無線デバイス１３０から、またはホストコンピュータ１５０を動作しているサービスプロバイダから、または両方から隠れるように設定され得る。ＯＴＴ接続がアクティブである間、ネットワークインフラストラクチャは、さらに、ネットワークインフラストラクチャが、たとえば、ネットワークの負荷分散考慮または再設定に基づいて、ルーティングを動的に変更する決定を行い得る。
【０２６１】
無線デバイス１３０と、ホストコンピュータ１５０、および／または、場合によっては、ネットワークノード１１０との間の第３のリンク１６０は、本開示全体にわたって説明される実施形態の教示に従う。様々な実施形態のうちの１つまたは複数は、第１のリンク１４１の無線接続が最後のセグメントを形成し得る、第３のリンク１６０のＯＴＴ接続を使用して、無線デバイス１３０に提供されるＯＴＴサービスの性能を改善する。
【０２６２】
電気通信システム１８０中の無線デバイス１３０が、図５または図９で説明される構成のいずれかを備え得ることが理解され得る。同様に、電気通信システム１８０中のネットワークノード１１０は、図６または図９で説明される構成のいずれかを備え得る。同様に、電気通信システム１８０中のホストコンピュータ１５０は、図８または図９で説明される構成のいずれかを備え得る。
【０２６３】
本明細書の実施形態は、ＮＲモビリティ、ビームリカバリおよびビーム管理に関し得る。
【０２６４】
「備える、含む（ｃｏｍｐｒｉｓｅ）」または「備える、含む（ｃｏｍｐｒｉｓｉｎｇ）」という単語を使用するとき、その単語は、非限定的、すなわち、「少なくとも〜からなる（ｃｏｎｓｉｓｔ  ａｔ  ｌｅａｓｔ  ｏｆ）」を意味するとして解釈されるものとする。
【０２６５】
本明細書の実施形態は、上記で説明された好ましい実施形態に限定されない。様々な代替形態、変更形態および等価物が使用され得る。したがって、上記の実施形態は、本発明の範囲を限定するものとしてとられるべきでない。
【図１】
2020530680.tif 000011
【図２】
2020530680.tif 000012
【図３】
2020530680.tif 000013
【図４】
2020530680.tif 000014
【図５】
2020530680.tif 000015
【図６】
2020530680.tif 000016
【図７】
2020530680.tif 000017
【図８】
2020530680.tif 000018
【図９】
2020530680.tif 000019
【国際調査報告】
2020530680.tif 000020
2020530680.tif 000021
2020530680.tif 000022